(57)【要約】【課題】膝関節への適切な圧力とそれに伴うサポート感及びフィット感に優れ、膝の曲げ伸ばし動作容易性に優れる。【解決手段】衣類の関節用サポーター２００には、平均着圧が、一端側領域１１２及び他端側領域１１４よりも高くされた着圧付与領域が中央領域１１０に含まれる。また、関節用サポーター２００には、中央領域１１０の前面側領域１１０Ａ、一端側領域１１２の前面側領域１１２Ａ、及び他端側領域１１４の前面側領域１１４Ａの少なくとも一つの領域に、一つ又は複数のスリット孔２０が設けられている。このため、関節用サポーター２００は、膝関節への適切な圧力とそれに伴うサポート感及びフィット感に優れ、膝の曲げ伸ばし動作容易性に優れる。【選択図】図１
2018172825.tif 000002
【特許請求の範囲】
【請求項１】
筒状の関節用サポーター部を備える衣類であって、
前記関節用サポーター部が、身体の関節部位に対して着圧を付与するための着圧付与領域を含む前記関節用サポーター部の軸方向の中央領域と、前記中央領域に対して前記軸方向の一端側に位置する一端側領域と、前記中央領域に対して前記軸方向の他端側に位置する他端側領域と、を含むと共に、
前記着圧付与領域の着圧が、前記一端側領域及び前記他端側領域の平均着圧よりも高く、前記関節用サポーター部における前記着圧付与領域以外の領域が、凹凸組織からなる凹凸組織領域を含み、
前記関節用サポーター部において、前記着圧付与領域の中心ＸＸを中心とする半周を前記関節用サポーター部の前面側とし、残りの半周側を前記関節用サポーター部の後面側とした際に、前記着圧付与領域の前面側領域、前記一端側領域の前面側領域及び前記他端側領域の前面側領域の少なくとも一領域に少なくとも１つの開口部を有する衣類。
【請求項２】
前記開口部を前記着圧付与領域の前面側領域に有する請求項１に記載の衣類。
【請求項３】
前記開口部を前記一端側領域の前面側領域に有する請求項１に記載の衣類。
【請求項４】
前記開口部を複数有する請求項１から請求項３の何れか１項に記載の衣類。
【請求項５】
前記凹凸組織からなる前記凹凸組織領域が、凹凸編地からなる凹凸編地領域である請求項１から請求項４の何れか１項に記載の衣類。
【請求項６】
前記着圧付与領域及び前記凹凸編地領域は、つかみ幅１５ｍｍ、つかみ間隔１５ｍｍ、及び引張荷重２０Ｎの条件の引張試験によって測定された前記軸方向の伸長率が、前記着圧付与領域より前記凹凸編地領域の方が大きいという関係を満たす請求項５に記載の衣類。
【請求項７】
前記凹凸編地が、フロート編み組織を含む請求項５又は請求項６に記載の衣類。
【請求項８】
前記凹凸編地領域は、
前記関節用サポーター部の軸方向及び周方向のうちの一方向に伸長率２００％にて伸長させたときに、前記一方向の弾性率が、０．１Ｎ／ｍｍ２未満である請求項５から請求項７の何れか１項に記載の衣類。
【請求項９】
前記凹凸編地領域は、
前記関節用サポーター部の軸方向及び周方向のうちの一方向に伸長率２００％にて伸長させたときに、前記一方向の弾性率が、０．１Ｎ／ｍｍ２未満であり、
前記関節用サポーター部の軸方向及び周方向のうちの他方向に伸長率２００％にて伸長させたときに、前記他方向の弾性率が、０．１Ｎ／ｍｍ２〜０．５Ｎ／ｍｍ２である請求項５から請求項８の何れか１項に記載の衣類。
【請求項１０】
前記凹凸編地領域は、つかみ幅１５ｍｍ、つかみ間隔１５ｍｍ、及び引張荷重２０Ｎの条件の引張試験によって測定された、前記関節用サポーター部の軸方向の伸長率及び前記関節用サポーター部の周方向の伸長率が、（軸方向の伸長率）＞（周方向の伸長率）の関係を満たす請求項５から請求項９の何れか１項に記載の衣類。
【請求項１１】
前記一端側領域及び前記他端側領域の少なくとも一方が、前記凹凸編地領域を含む請求項５から請求項１０の何れか１項に記載の衣類。
【請求項１２】
前記一端側領域及び前記他端側領域の少なくとも一方が、更に、前記凹凸編地領域よりも前記軸方向の弾性率が高い領域を含み、
前記凹凸編地領域と、前記凹凸編地領域よりも前記軸方向の弾性率が高い領域と、が前記関節用サポーター部の周方向に配置されている請求項１１に記載の衣類。
【請求項１３】
前記一端側領域の後面側領域及び前記他端側領域の後面側領域の少なくとも一方が、前記凹凸編地領域を含む請求項５から請求項１２の何れか１項に記載の衣類。
【請求項１４】
前記一端側領域の後面側領域が前記凹凸編地領域を含む場合には、つかみ幅１５ｍｍ、つかみ間隔１５ｍｍ、及び引張荷重２０Ｎの条件の引張試験によって測定された前記軸方向の伸長率が、前記一端側領域の後面側領域の前記凹凸編地領域が前記一端側領域の前面側領域が大きいという関係を満たし、
前記他端側領域の後面側領域が前記凹凸編地領域を含む場合には、前記条件の引張試験によって測定された前記軸方向の伸長率が、前記他端側領域の後面側領域の前記凹凸編地領域が前記他端側領域の前面側領域より大きいという関係を満たす請求項１３に記載の衣類。
【請求項１５】
前記凹凸編地領域について、つかみ幅１５ｍｍ、つかみ間隔１５ｍｍ、及び引張荷重２０Ｎの条件の引張試験によって測定された前記軸方向の伸長率が、１５０％以上である請求項５から請求項１４の何れか１項に記載の衣類。
【請求項１６】
前記中央領域が、膝関節、肘関節、手指関節、又は足指関節に着用される請求項１から請求項１５の何れか１項に記載の衣類。
【請求項１７】
前記中央領域が、膝関節に着用される請求項１から請求項１６の何れか１項に記載の衣類。
【請求項１８】
前記中央領域の平均着圧ＸＡと前記一端側領域及び前記他端側領域の平均着圧ＸＢとが、（平均着圧ＸＡ）＞（平均着圧ＸＢ）の関係を満たす請求項１６又は請求項１７に記載の衣類。
【請求項１９】
前記平均着圧ＸＡと前記平均着圧ＸＢとが、（（平均着圧ＸＡ）−（平均着圧ＸＢ））≧０．８ｋＰａの関係を満たす請求項１８に記載の衣類。
【請求項２０】
前記中央領域の平均着圧ＸＡが、２．６ｋＰａ以上である請求項１６から請求項１８の何れか１項に記載の衣類。
【請求項２１】
前記中央領域を、前記着圧付与領域の中心ＸＸと前記中央領域の後面側の中心ＸＹとの距離が長くなる方向に５ｋｇの力で伸ばした場合に、前記中央領域の伸び率が１８０％〜２８０％である請求項１から請求項２０の何れか１項に記載の衣類。
【請求項２２】
前記着圧付与領域の中心ＸＸを中心とする測定範囲ＸＸ１、前記中央領域の後面側領域の中心ＸＹから軸方向に延ばした延長線上であって前記一端側領域における軸方向の中心である位置ＸＴを中心とする測定範囲ＸＴ１、及び前記中央領域の後面側領域の中心ＸＹから軸方向に延ばした延長線上であって前記他端側領域における軸方向の中心である位置ＸＳを中心とする測定範囲ＸＳ１の各々について、つかみ幅１５ｍｍ、つかみ間隔１５ｍｍ、及び引張荷重２０Ｎの条件の引張試験によって周方向の伸長率を測定したときに、
前記測定範囲ＸＸ１の周方向の伸長率が、前記測定範囲ＸＴ１の周方向の伸長率及び前記測定範囲ＸＳ１の周方向の伸長率の何れよりも低い請求項１から請求項２１の何れか１項に記載の衣類。
【請求項２３】
前記着圧付与領域の中心ＸＸを中心とする測定範囲ＸＸ１、前記中央領域の後面側領域の中心ＸＹから軸方向に延ばした延長線上であって前記一端側領域における軸方向の中心である位置ＸＴを中心とする測定範囲ＸＴ１、及び前記中央領域の後面側領域の中心ＸＹから軸方向に延ばした延長線上であって前記他端側領域における軸方向の中心である位置ＸＳを中心とする測定範囲ＸＳ１の各々について、つかみ幅１５ｍｍ、つかみ間隔１５ｍｍ、及び引張荷重２０Ｎの条件の引張試験によって軸方向の伸長率を測定したときに、
前記測定範囲ＸＸ１の軸方向の伸長率が、前記測定範囲ＸＴ１の軸方向の伸長率及び前記測定範囲ＸＳ１の軸方向の伸長率のいずれよりも低い請求項１から請求項２２の何れか１項に記載の衣類。
【請求項２４】
前記関節用サポーター部の全体の構造は、シームレス構造である請求項１から請求項２３の何れか１項に記載の衣類。
【請求項２５】
前記関節用サポーター部は、更に、
前記一端側領域から見て前記中央領域の反対側に配置された一端側口ゴム部、及び、前記他端側領域から見て前記中央領域の反対側に配置された他端側口ゴム部を含む請求項１から請求項２４の何れか１項に記載の衣類。
【請求項２６】
更に、前記関節用サポーター部の一部を身体の一部に固定するための固定ベルトを備える請求項１から請求項２５の何れか１項に記載の衣類。
【発明の詳細な説明】
【技術分野】
【０００１】
本発明は、関節用サポーター部を備える衣類に関する。
【背景技術】
【０００２】
現在、種々な膝用サポーターが知られている。
例えば、特許文献１には、膝関節周辺の皮膚の動きに追従し、ずれにくく、且つ装着性を良好にした膝関節用サポーターとして、本体の膝関節中心から上下１０ｃｍ以内をスリーブ状に形成し、本体の前面部は縦方向に低モジュラスで伸縮性の高い素材で構成し、本体の膝関節中心から１０ｃｍ以上の個所の少なくとも前面上部に切欠きを設け、この切欠きに跨がって本体の周方向の圧迫力を調整可能な部材を設けた膝関節用サポーターが提案されている。また、特許文献１では、本体の膝蓋部に相当する部分に開口を設け、この開口が膝蓋部に丁度あたるようにすることが、有利となるとしている。
また、特許文献２には、様々な痛みを効果的に緩和する性能に優れ、装着時の膝の動きの障害とならず、かつ着脱の簡便なサポーターとして、膝頭に相当する位置に開口部を有し、左右側面には、縦方向に一対の弾性のある棒状支持部材が取り付けられており、かつ開口部の上下からそれぞれ膝裏の中央部に向けてバンド部材が斜めに設けられたサポーターが提案されている。
【先行技術文献】
【特許文献】
【０００３】
【特許文献１】特開２０００−１１６６９７号公報
【特許文献２】特開２００３−２２７０１４号公報
【発明の概要】
【発明が解決しようとする課題】
【０００４】
ところで、膝用サポーターにおいては、膝の曲げ伸ばし動作容易性に優れることが望まれると共に、脚の膝におけるサポート感及びフィット感をより向上させることが望まれている。しかし、膝部分に開口部を設けた場合、膝におけるサポート感及びフィット感が損なわれる場合がある。
【０００５】
本発明は上記事実に鑑みてなされたものであり、膝関節への適切な圧力とそれに伴うサポート感及びフィット感に優れ、膝の曲げ伸ばし動作容易性に優れる衣類を提供することである。
【課題を解決するための手段】
【０００６】
上記課題を解決するための具体的手段は以下の通りである。
＜１＞  筒状の関節用サポーター部を備える衣類であって、
筒状の関節用サポーター部が、身体の関節部位に対して着圧を付与するための着圧付与領域を含む前記関節用サポーター部の軸方向の中央領域と、前記中央領域に対して前記軸方向の一端側に位置する一端側領域と、前記中央領域に対して前記軸方向の他端側に位置する他端側領域と、を含むと共に、
前記着圧付与領域の着圧が、前記一端側領域及び前記他端側領域の平均着圧よりも高く、前記関節用サポーター部における前記着圧付与領域以外の領域が、凹凸組織からなる凹凸組織領域を含み、
前記関節用サポーター部において、前記着圧付与領域の中心ＸＸを中心とする半周を前記関節用サポーター部の前面側とし、残りの半周側を前記関節用サポーター部の後面側とした際に、前記着圧付与領域の前面側領域、前記一端側領域の前面側領域及び前記他端側領域の前面側領域の少なくとも一領域に少なくとも１つの開口部を有する衣類。
＜２＞  前記開口部を前記着圧付与領域の前面側領域に有する＜１＞に記載の衣類。
＜３＞  前記開口部を前記一端側領域の前面側領域に有する＜１＞に記載の衣類。
＜４＞  前記開口部を複数有する＜１＞から＜３＞の何れかに記載の衣類。
【０００７】
＜５＞  前記凹凸組織からなる前記凹凸組織領域が、凹凸編地からなる凹凸編地領域である＜１＞から＜４＞の何れかに記載の衣類。
＜６＞  前記着圧付与領域及び前記凹凸編地領域は、つかみ幅１５ｍｍ、つかみ間隔１５ｍｍ、及び引張荷重２０Ｎの条件の引張試験によって測定された前記軸方向の伸長率が、前記着圧付与領域より前記凹凸編地領域の方が大きいという関係を満たす＜５＞に記載の衣類。
＜７＞  前記凹凸編地が、フロート編み組織を含む＜５＞又は＜６＞に記載の衣類。
【０００８】
＜８＞  前記凹凸編地領域は、
前記関節用サポーター部の軸方向及び周方向のうちの一方向に伸長率２００％にて伸長させたときに、前記一方向の弾性率が、０．１Ｎ／ｍｍ２未満である＜５＞から＜７＞の何れかに記載の衣類。
＜９＞  前記凹凸編地領域は、
前記関節用サポーター部の軸方向及び周方向のうちの一方向に伸長率２００％にて伸長させたときに、前記一方向の弾性率が、０．１Ｎ／ｍｍ２未満であり、
前記関節用サポーター部の軸方向及び周方向のうちの他方向に伸長率２００％にて伸長させたときに、前記他方向の弾性率が、０．１Ｎ／ｍｍ２〜０．５Ｎ／ｍｍ２である＜５＞から＜８＞の何れかに記載の衣類。
＜１０＞  前記凹凸編地領域は、つかみ幅１５ｍｍ、つかみ間隔１５ｍｍ、及び引張荷重２０Ｎの条件の引張試験によって測定された、前記関節用サポーター部の軸方向の伸長率及び前記関節用サポーター部の周方向の伸長率が、（軸方向の伸長率）＞（周方向の伸長率）の関係を満たす＜５＞から＜９＞の何れかに記載の衣類。
【０００９】
＜１１＞  前記一端側領域及び前記他端側領域の少なくとも一方が、前記凹凸編地領域を含む＜５＞から＜１０＞の何れかに記載の衣類。
＜１２＞  前記一端側領域及び前記他端側領域の少なくとも一方が、更に、前記凹凸編地領域よりも前記軸方向の弾性率が高い領域を含み、
前記凹凸編地領域と、前記凹凸編地領域よりも前記軸方向の弾性率が高い領域と、が前記関節用サポーター部の周方向に配置されている＜１１＞に記載の衣類。
＜１３＞  前記一端側領域の後面側領域及び前記他端側領域の後面側領域の少なくとも一方が、前記凹凸編地領域を含む＜５＞から＜１２＞の何れかに記載の衣類。
【００１０】
＜１４＞  前記一端側領域の後面側領域が前記凹凸編地領域を含む場合には、つかみ幅１５ｍｍ、つかみ間隔１５ｍｍ、及び引張荷重２０Ｎの条件の引張試験によって測定された前記軸方向の伸長率が、前記一端側領域の後面側領域の前記凹凸編地領域が前記一端側領域の前面側領域が大きいという関係を満たし、
前記他端側領域の後面側領域が前記凹凸編地領域を含む場合には、前記条件の引張試験によって測定された前記軸方向の伸長率が、前記他端側領域の後面側領域の前記凹凸編地領域が前記他端側領域の前面側領域より大きいという関係を満たす＜１３＞に記載の衣類。
＜１５＞  前記凹凸編地領域について、つかみ幅１５ｍｍ、つかみ間隔１５ｍｍ、及び引張荷重２０Ｎの条件の引張試験によって測定された前記軸方向の伸長率が、１５０％以上である＜５＞から＜１４＞の何れかに記載の衣類。
【００１１】
＜１６＞  前記中央領域が、膝関節、肘関節、手指関節、又は足指関節に着用される＜１＞から＜１５＞の何れかに記載の衣類。
＜１７＞  前記中央領域が、膝関節に着用される＜１＞から＜１６＞の何れかに記載の衣類。
【００１２】
＜１８＞  前記中央領域の平均着圧ＸＡと前記一端側領域及び前記他端側領域の平均着圧ＸＢとが、（平均着圧ＸＡ）＞（平均着圧ＸＢ）の関係を満たす＜１６＞又は＜１７＞に記載の衣類。
＜１９＞  前記平均着圧ＸＡと前記平均着圧ＸＢとが、（（平均着圧ＸＡ）−（平均着圧ＸＢ））≧０．８ｋＰａの関係を満たす＜１８＞に記載の衣類。
＜２０＞  前記中央領域の平均着圧ＸＡが、２．６ｋＰａ以上である＜１６＞から＜１８＞の何れかに記載の衣類。
【００１３】
＜２１＞  前記中央領域を、前記着圧付与領域の中心ＸＸと前記中央領域の後面側の中心ＸＹとの距離が長くなる方向に５ｋｇの力で伸ばした場合に、前記中央領域の伸び率が１８０％〜２８０％である請求項１から請求項２０の何れか１項に記載の衣類。
＜２２＞  前記着圧付与領域の中心ＸＸを中心とする測定範囲ＸＸ１、前記中央領域の後面側領域の中心ＸＹから軸方向に延ばした延長線上であって前記一端側領域における軸方向の中心である位置ＸＴを中心とする測定範囲ＸＴ１、及び前記中央領域の後面側領域の中心ＸＹから軸方向に延ばした延長線上であって前記他端側領域における軸方向の中心である位置ＸＳを中心とする測定範囲ＸＳ１の各々について、つかみ幅１５ｍｍ、つかみ間隔１５ｍｍ、及び引張荷重２０Ｎの条件の引張試験によって周方向の伸長率を測定したときに、
前記測定範囲ＸＸ１の周方向の伸長率が、前記測定範囲ＸＴ１の周方向の伸長率及び前記測定範囲ＸＳ１の周方向の伸長率の何れよりも低い＜１＞から＜２１＞の何れか１項に記載の衣類。
＜２３＞  前記着圧付与領域の中心ＸＸを中心とする測定範囲ＸＸ１、前記中央領域の後面側領域の中心ＸＹから軸方向に延ばした延長線上であって前記一端側領域における軸方向の中心である位置ＸＴを中心とする測定範囲ＸＴ１、及び前記中央領域の後面側領域の中心ＸＹから軸方向に延ばした延長線上であって前記他端側領域における軸方向の中心である位置ＸＳを中心とする測定範囲ＸＳ１の各々について、つかみ幅１５ｍｍ、つかみ間隔１５ｍｍ、及び引張荷重２０Ｎの条件の引張試験によって軸方向の伸長率を測定したときに、
前記測定範囲ＸＸ１の軸方向の伸長率が、前記測定範囲ＸＴ１の軸方向の伸長率及び前記測定範囲ＸＳ１の軸方向の伸長率のいずれよりも低い＜１＞から＜２２＞の何れか１項に記載の衣類。
【００１４】
＜２４＞  前記関節用サポーター部の全体の構造は、シームレス構造である＜１＞から＜２３＞の何れかに記載の衣類。
＜２５＞  前記関節用サポーター部は、更に、
前記一端側領域から見て前記中央領域の反対側に配置された一端側口ゴム部、及び、前記他端側領域から見て前記中央領域の反対側に配置された他端側口ゴム部を含む＜１＞から＜２４＞の何れかに記載の衣類。
＜２６＞  更に、前記関節用サポーター部の一部を身体の一部に固定するための固定ベルトを備える＜１＞から＜２５＞の何れかに記載の衣類。
【発明の効果】
【００１５】
本発明の実施の形態によれば、膝関節への適切な圧力とそれに伴うサポート感及びフィット感に優れ、膝の曲げ伸ばし動作容易性に優れる関節用サポーター部を備える衣類が提供される。
【図面の簡単な説明】
【００１６】
【図１】本実施の形態の具体例であるサポーターを概念的に示す正面図である。
【図２】本実施の形態の衣類の具体例であるサポーターを概念的に示す背面図である。
【図３】図２の凹凸編地領域の拡大図である。
【図４】図２のＡ−Ａ線に沿う主要部の断面図である。
【図５】本実施の形態の衣類の別の具体例であるサポーターを概念的に示す背面図である。
【図６】本実施の形態の衣類の更に別の具体例であるサポーターを概念的に示す背面図である。
【図７】本実施の形態の具体例の関節用サポーターを、その右側と左側とが重なるようにして平置きした様子を示す概念図である。
【図８】本実施の形態の具体例の関節用サポーターを、位置Ｘと位置Ｙとの距離が離れる方向に引き伸ばした様子を示す概念図である。
【図９】本実施の形態の具体例の関節用サポーターが脚に着用されていない状態を示す正面図である。
【図１０】本実施の形態の具体例の関節用サポーターが脚に着用されていない状態を示す背面図である。
【図１１】着圧測定において、マネキンに対するセンサー取り付け位置を示す写真であり、マネキンの脚の正面（膝蓋骨の側）から撮影した写真である。
【図１２】着圧測定において、マネキンに対するセンサー取り付け位置を示す写真であり、マネキンの脚の斜め後ろ側から撮影した写真である。
【発明を実施するための形態】
【００１７】
以下に、本発明の実施の形態を説明する。
本明細書中において、「〜」を用いて表される数値範囲は、「〜」の前後に記載される数値を下限値及び上限値として含む範囲を意味する。
本明細書中において、「筒状のサポーター部」及び「サポーター部」は、「筒状の関節用サポーター部」を指す。
また、本明細書中において、「筒状のサポーター部の軸方向」は、筒状のサポーター部の形状を筒形状に維持したときの筒形状の軸方向を指す。本明細書中では、「筒状のサポーター部の軸方向」を、単に「軸方向」ということがある。本明細書中における「軸方向」は、膝用サポーターの技術分野において「縦方向」と呼ばれることがある方向であり、筒状のサポーター部に対して脚が挿入される方向ということもできる。
また、本明細書中において、「筒状のサポーター部の周方向」は、筒状のサポーター部の形状の筒形状に維持したときの周方向を指す。本明細書中では、「筒状のサポーター部の周方向」を、単に「周方向」ということがある。本明細書中における「周方向」は、膝用サポーターの技術分野において「横方向」と呼ばれることがある方向である。
また、本明細書中では、脚の膝蓋骨の側を、「正面」又は「前面」と称することがあり、脚の膝窩部（いわゆる膝裏）の側を、「背面」又は「後面」と称することがある。
また、本明細書中では、膝蓋骨から見て股関節側の方向を「上」と称し、膝蓋骨から見て踝側の方向を「下」と称することがある。
また、本明細書中では、平均着圧ＸＡから平均着圧ＸＢを差し引いた値（即ち、（（平均着圧ＸＡ）−（平均着圧ＸＢ））の値）を「着圧差〔ＸＡ−ＸＢ〕」ということがあり、平均着圧ＸＡから平均着圧ＸＢ１を差し引いた値（即ち、（（平均着圧ＸＡ）−（平均着圧ＸＢ１）の値）を「着圧差〔ＸＡ−ＸＢ１〕」ということがあり、平均着圧ＸＡから平均着圧ＸＢ２を差し引いた値（即ち、（平均着圧ＸＡ）−（平均着圧ＸＢ２）の値）を「着圧差〔ＸＡ−ＸＢ２〕」ということがある。
【００１８】
本実施の形態の衣類は、筒状の関節用サポーター部を備える衣類であって、
筒状の関節用サポーター部が、身体の関節部位に対して着圧を付与するための着圧付与領域を含む関節用サポーター部の軸方向の中央領域と、中央領域に対して軸方向の一端側に位置する一端側領域と、中央領域に対して軸方向の他端側に位置する他端側領域と、を含むと共に、
着圧付与領域の着圧が、一端側領域及び他端側領域の平均着圧よりも高く、関節用サポーター部における着圧付与領域以外の領域が、凹凸組織からなる凹凸組織領域を含み、
関節用サポーター部において、着圧付与領域の中心ＸＸを中心とする半周を関節用サポーター部の前面側とし、残りの半周側を関節用サポーター部の後面側とした際に、着圧付与領域の前面側領域、一端側領域の前面側領域及び前記他端側領域の前面側領域の少なくとも一領域に少なくとも１つの開口部を有する衣類である。
【００１９】
本実施の形態の衣類は、開口部を着圧付与領域の前面側領域に有しても良い。
また、本実施の形態の衣類は、開口部を一端側領域の前面側領域に有しても良い。
更に、本実施の形態の衣類は、開口部を複数有しても良い。
【００２０】
本実施の形態において、身体の関節部位とは、関節を屈曲した時に関節の外側に位置する部位であって、腱及び靭帯の少なくとも一方の一部又は全体を覆う部位を指す。
【００２１】
本実施の形態の筒状の関節用サポーター部を備える衣類によれば、サポーター部の着圧付与領域は、関節部位に着用する。そして、この衣類を着用した着用者の体感として、着圧付与領域が接している関節部位において、優れたサポート感及びフィット感が得られる。
この理由は明らかではないが、上記着圧付与領域の着圧が、一端側領域及び他端側領域の平均着圧よりも高いことにより、着圧付与領域によってサポートされている関節部位において、錯覚により、着圧付与領域の実際の着圧よりも高い着圧でサポートされている感覚が得られるためと考えられる。また、着圧付与領域と一端側領域及び他端側領域との着圧に着圧差を設けることで、サポーター部（の一部）を関節の一部位に密着させることができ、フィット感を向上させることができる。
【００２２】
また、一般的には、サポーター部の着圧が高ければ高い程、肌ストレスが強くなる傾向がある。ここで、肌ストレスとは、肌が受ける、内的なストレス及び外的なストレスのことをいう。
サポーター部の全体に着圧を付与する場合、付与する着圧が外的刺激となり、着用者はサポーター部着用領域の全体に肌ストレスを感じる。そのため、特に、サポーターを長時間着用するような場合に、肌ストレスの軽減が求められている。しかし、着圧付与領域をサポーター部の一部のみに配置することにより、平均着圧の低い領域（例えば、一端側領域及び他端側領域）の肌ストレスが軽減される。
【００２３】
また、本実施の形態の衣類におけるサポーター部は、着圧付与領域以外の領域に、凹凸組織からなる凹凸組織領域を含めることができる。これにより、肌ストレスが軽減される。肌ストレス軽減の効果は、凹凸組織の柔らかさ（例えば厚さ方向の柔らかさ）に起因する効果であると考えられる。特に、関節部位の周囲（着圧付与領域以外の領域が適用される部分）は、関節部位と比較して柔らかい皮膚組織からなり、肌ストレスに弱い。この関節部位の周囲の少なくとも一部に凹凸組織領域を適用することが肌ストレスの軽減に効果的である。
【００２４】
更に、本実施の形態の衣類は、関節用サポーター部の前面側において、着圧付与領域、一端側領域、及び他端側領域の少なくとも一領域に、少なくとも１つの開口部を有している。
例えば、膝関節の曲げ伸ばし動作においては、膝蓋骨周辺及び膝蓋骨上部における皮膚の変化（伸縮）が大きい。膝関節において膝蓋骨周辺及び膝蓋骨上部をサポートする着圧付与領域、一端側領域、及び他端側領域に開口部を有することで、膝関節の曲げ伸ばし動作において、サポーター部の追従性を向上できる。
【００２５】
以上のように、本実施の形態の衣類によれば、サポート感及びフィット感に優れ、関節の曲げ伸ばし動作容易性に優れる。しかも、本実施の形態の衣類は、肌ストレスの軽減を図れる。
【００２６】
本実施の形態において、着圧付与領域は、中央領域の全体であってもよいし、一部であってもよい。
着圧付与領域が中央領域の一部である場合、着圧付与領域のサイズは、サポート感を高めたい領域に応じて適宜調整できる。
着圧付与領域は、中央領域中において、関節を屈曲した時に関節の外側に位置する腱及び靭帯の少なくとも一方の一部又は全体を覆う領域（関節部位）を含む領域であることが好ましい。
着圧付与領域の周方向長さは、中央領域の全周長さ（詳しくは、着圧付与領域を含む部分の全周長さ）の１／３以上の長さであることが好ましい。
また、着圧付与領域の軸方向長さは、中央領域の軸方向長さの１／３以上の長さであることが好ましい。
着圧付与領域の形状は、少なくとも関節部位を覆うことができれば、特に限定されることはなく、関節部位の形状に応じて適宜設計できる。その形状としては、例えば、略円形状、略楕円形状、略長方形状などが挙げられる。また、着圧付与領域の境界ラインの形状も、特に限定されることはなく、直線状であっても、湾曲していても、波線状であってもよい。さらに、境界ラインの周囲に縁取り構造があってもよい。
【００２７】
本実施の形態において、着圧付与領域が中央領域の一部である場合、着圧付与領域は、中央領域中における着圧付与領域以外の領域と比較して、軸方向の伸長率が高いことが好ましい。
【００２８】
本実施の形態において、凹凸組織領域とは、凹凸形状を有する組織である凹凸組織を含む領域である。
凹凸組織領域に含まれる凹凸組織としては、編物組織（以下、「編物」ともいう）、織物組織（以下、「織物」ともいう）、樹脂シート（例えば、フィルムなど）などが挙げられる。これらの中でも、凹凸組織としては、編物や織物を用いることが好ましく、編物を用いることがより好ましい。また、凹凸組織領域には、単一の凹凸組織を用いてもよく、複数の凹凸組織を組合せて用いてもよい。
これらの中でも、凹凸組織を含む凹凸組織領域としては、凹凸編地を含む凹凸編地領域、凹凸織物を含む凹凸織物領域、又は、凹凸編地と凹凸織物とを含む凹凸組織領域が好ましく、凹凸編地を含む凹凸編地領域がより好ましい。
凹凸組織を含む凹凸組織領域の好ましい態様（例えば、サイズ、サポーター部における配置、各種物性値、など）については、後述する凹凸編地を含む凹凸編地領域の好ましい態様と同様であり、適宜好ましい態様を組合せて用いることができる。
【００２９】
凹凸編地領域とは、凹凸形状を有する編み組織である凹凸編地を含む領域である。凹凸編地領域は、着圧付与領域以外の領域の全体に配置されてもよいし、一部に配置されてもよい。また、凹凸編地領域に含まれる凹凸編地としては、単一の凹凸編地であってもよく、２種以上の凹凸編地であってもよい。
凹凸編地領域が着圧付与領域以外の領域の一部に配置される場合、凹凸編地領域のサイズは、凹凸編地が肌に触れていることを感じることが出来る程度のサイズであることが好ましい。
具体的には、凹凸編地領域の面積としては、着用時の伸張した状態での凹凸編地領域の面積が、４ｃｍ２以上であることが好ましく、６ｃｍ２以上であることがより好ましい。
また、凹凸編地領域の周方向長さは、サポーター部の全周長さ（詳しくは、凹凸編地領域を横切る全周の長さ）の１／６以上の長さであることが好ましく、１／３以上の長さであることがより好ましい。
ここで、凹凸編地領域の周方向長さとは、凹凸編地領域が周方向に分割して配置される場合には、周方向に重複なく寄せ集めた場合の総周方向長さをいう。
凹凸編地領域は、着圧付与領域以外の領域中に複数配置されていてもよい。着圧付与領域以外の領域中に複数の凹凸編地領域を配置する場合、その配置は特に限定されない。
凹凸編地領域の形状及び隣接する領域との境界ラインの形状は、特に限定されない。これらは、デザイン性の観点から、適宜設計できる。
【００３０】
本実施の形態において、サポーター部は、着圧付与領域及び凹凸組織領域（例えば、凹凸編地領域）を含む。サポーター部は、着圧付与領域及び凹凸組織領域以外の領域（その他の領域）を含んでいてもよい。
着圧付与領域と凹凸組織領域に加え、その他の領域を含む場合、その他の領域は、織物、樹脂シート、着圧付与領域及び凹凸組織領域とは異なる編み組織、等によって構成することができる。中でも、肌ストレス軽減の観点からは、編み組織又は織物が好ましく、弾性糸を用いた編み組織がより好ましい。ただし、その他の領域の組織は、一端側領域及び他端側領域における平均着圧が着圧付与領域の着圧よりも低くなるように適宜選定する。
【００３１】
本実施の形態の衣類は、関節用サポーター部のみからなる衣類（即ち、サポーター）であってもよいし、衣類の一部分として関節用サポーター部を備える衣類であってもよい。
ここで、衣類の一部分として関節用サポーター部を備える衣類としては、スパッツ、タイツ（例えば、スポーツタイツ、コンプレッションタイツ、医療用タイツ）、ガードル、パンティーストッキング、レギンス、トレンカ、レッグウォーマー等のボトム（例えば、スポーツ用又はインナー用等のボトム）；肌着、シャツ、コンプレッションシャツ等のトップ；ソックス；手袋；指サック；包帯；等が挙げられる。
【００３２】
関節部位における関節としては、膝関節、肘関節、中手指節関節、指節間関節、近位指節間関節、遠位指節間関節、橈骨手根関節、距腿関節、距骨下関節、首関節、肩関節、股関節、等が挙げられる。
【００３３】
サポーター部の中央領域が着用される関節としては、疼痛緩和の観点からは、膝関節、肘関節、又は橈骨手根関節が好ましく、膝関節がより好ましい。関節膝関節、肘関節、及び橈骨手根関節は、３つ以上の骨から構成されるという共通点を有する。
着圧付与領域によって着圧を付与することより関節部位を圧迫すると、関節における骨の配置が適正化され、関節の周囲に位置する関節部位以外の部位を動きやすく制御することができる。これにより、疼痛緩和の効果を生じる。
関節膝関節、肘関節、及び橈骨手根関節は、他の関節に較べてより広い可動範囲を有する関節である。これら関節膝関節、肘関節、及び橈骨手根関節は、筋肉の衰えにより骨の配置が崩れやすいので、これらの関節にサポーターを着用し、サポート感を付与することが特に有用である。
特に、膝関節は、歩行時に人体の体重を支えるため、大きな負荷がかかりやすく、骨の配置が崩れやすい。このため、本実施の形態の効果は、サポーター部の中央領域を膝関節に着用した場合において、特に効果的に奏される。
【００３４】
また、本実施の形態の衣類において、着圧付与領域及び凹凸編地領域は、つかみ幅１５ｍｍ、つかみ間隔１５ｍｍ、及び引張荷重２０Ｎの条件の引張試験によって測定された軸方向の伸長率が、（凹凸編地領域）＞（着圧付与領域）の関係を満たすことが好ましい。これにより、動作追従性がより向上する。
この動作追従性向上の効果は、着圧付与領域に着圧を付与することでサポーター部を関節部位に密着させてサポーター部の着用ずれを防ぐこと、及び、凹凸編地領域が着圧付与領域よりも伸び縮みし易いことに起因する効果であると考えられる。
一般的に、関節の曲げ伸ばし動作時には、筋肉の動きに応じて関節の上下に位置する皮膚の形状が変化し、その形状変化により、サポーター部によれ又はたるみが生じる。着用者は、サポーター部のよれ又はたるみに起因する着用感の悪さから、肌ストレスを感じる。
しかし、本実施の形態の衣類は、サポーター部が着圧付与領域を含むことで、サポーター部を関節部位に安定的に着用させてサポーター部の着用ずれを防ぐことができる。
更に、本実施の形態の衣類では、着圧付与領域以外の領域に含まれる凹凸編地領域の軸方向の伸縮性を、着圧付与領域の軸方向の伸縮性よりも高くすることにより、皮膚の形状の変化に伴うサポーター部の変形歪を小さくすることができる。その結果、サポーター部のよれやたるみを改善し、肌ストレスを軽減できる。特に、関節を曲げ伸ばすなどの大きな動きをする場合に、優れた効果を奏する。
【００３５】
本明細書中において、「伸長率」とは、特に断りが無い限り、つかみ幅１５ｍｍ、つかみ間隔１５ｍｍ、及び引張荷重２０Ｎの条件の引張試験によって測定された伸長率を指す。
本明細書中において、「伸長率」は、下記式により算出される値を指す。
【００３６】
伸長率（％）  ＝  （Ｌ２０／Ｌ０）×１００
〔上記式において、Ｌ０は、初期（即ち非伸長時）のつかみ間隔を指し、具体的には、１５ｍｍである。Ｌ２０は、２０Ｎの引張荷重が印加された状態（即ち伸長時）でのつかみ間隔を指す。〕
【００３７】
伸長率を測定するための引張試験は、膝用サポーターの一部を、つかみ幅１５ｍｍ及びつかみ間隔１５ｍｍで引張試験機に固定し、１５ｍｍ／ｍｉｎの引張速度にて行う。
また、引張試験は、膝用サポーターの一部に対して実施することが困難な場合には、膝用サポーターから３０ｍｍ角の試験片を切り出し、切り出された試験片に対して実施してもよい。また、引張試験は、膝用サポーターと同一構成（同一編成）３０ｍｍ角の試験片を作製し、作製した試験片に対して実施してもよい。
試験回数は５回とし、５回の測定値から、最大値及び最小値を除いた３つの測定値から平均値を求め、この平均値を「伸長率」として採用することが望ましいが、１点（１回）の測定値を代表値としても良い。本明細書中において、試験回数が５回以上の測定値から得られる測定値の平均を平均値といい、試験回数が１回又は２回以上の測定値の平均値から取得する値を代表値という。
引張試験の装置は一般的な引張試験機を用いることができるが、例えば、（株）島津製作所製のオートグラフ「ＡＧＳ−Ｘ  １ｋＮ」を用いることができる。
【００３８】
凹凸編地領域における凹凸編地は、フロート編み組織を含むことが好ましい。凹凸編地におけるフロート編み組織は、フロート編み組織以外の編み組織より伸び縮みし易い。フロート編み組織を含む凹凸編地が柔らかい理由は、着用時に凹凸編地領域が伸びた場合においても凹凸編地におけるフロート編み組織に伸びしろ（即ち、凹凸）が残るためと考えられる。この伸びしろが肌に触れた時に、柔らかい感触を与える。また、凹凸編地の製造し易さの観点からもフロート編み組織を配することにより凹凸編地を形成することが好ましい。凹凸編地のベースとなる編み組織としては、後述する編み組織を用いることができ、それらの編み組織にフロート編み組織を含める態様が好ましい態様である。
また、凹凸編地領域における凹凸編地は、弾性糸によって編成されることが好ましく、上記凹凸編地は、弾性糸を用いたフロート編み組織を含む凹凸編地であることがより好ましい。弾性糸を用いることで凹凸編地をより柔らかくすることができる。
弾性糸としては、ポリウレタン、ポリオレフィン系エラストマー、天然ゴム、シリコーンなどが挙げられる。この中でも、より弾性に優れる観点から、ポリウレタン、ポリオレフィン系エラストマー、天然ゴムが好ましい。ここで、弾性糸としては、モノフィラメント；マルチフィラメント；ウレタン又はゴムを被覆したＳＣＹ（Single Covering Yarn）；ウレタン又はゴムを被覆したＤＣＹ（Double Covering Yarn）；等の紡糸を用いることもできる。
サポーター部を丸編みによって一体的に製造する際の製造適性にも優れる観点からは、軸方向にフロート編み組織を配することが好ましい。
【００３９】
また、凹凸編地領域は、長尺形状の凹部を有することが好ましい。
ここでいう長尺形状は、言うまでも無く、平面視における凹部の形状である。
凹凸編地領域のうち、特に凹部の底部分は、伸びやすい性質を有する。このため、長尺形状の凹部を有する凹凸編地領域は、この凹部の幅方向に伸びやすい性質を有する。従って、凹凸編地領域が長尺形状の凹部を有することにより、凹凸編地領域全体が伸び易くなるので、動作追従性がより向上する。
凹凸編地領域は、長尺形状の凹部を複数有することが好ましい。
【００４０】
凹凸編地領域は、長尺形状の凹部を複数有し、これら複数の凹部の各々は、長さ方向が、筒状のサポーター部の周方向に対して略平行であることが好ましい。
この場合、長尺形状の凹部の幅方向がサポーター部の軸方向に対応する。このため、凹凸編地領域がサポーター部の軸方向に伸び易くなるので、動作追従性がより向上する。
また、凹凸編地領域が、上記長さ方向を有する長尺形状の凹部を複数有することは、サポーター部を丸編みによって製造する際の製造適性にも優れる点でも有利である。詳細には、サポーター部を丸編みによって製造する際、フロート編みによって周方向の編目を１目以上飛ばして編むことにより、上記長尺形状の凹部（即ち、その長さ方向が、サポーター部の周方向に対して略平行である長尺形状の凹部）を容易に製造できる。
【００４１】
凹凸編地領域は、筒状のサポーター部の軸方向及び周方向のうちの一方向に伸長率２００％にて伸長させたときに、上記一方向の弾性率が、０．１Ｎ／ｍｍ２未満であることが好ましい。
上記一方向の弾性率が０．１Ｎ／ｍｍ２未満であると、凹凸編地領域の柔らかさにより優れ、その結果、肌ストレスがより軽減される。
ここで、弾性率とは、変形のしにくさを表す指標で、弾性変形における応力とひずみとの間の比例定数である。弾性率の数値は、後述する測定方法により得ることができる。弾性率の値が小さいと、着用時に凹凸編地領域が伸びた場合において、凹凸編地が伸びる前の形状に戻ろうとする応力が小さいことを意味し、肌への負荷が小さいといえる。
サポーター部を丸編みによって製造する際の製造適性にも優れる観点からは、軸方向の弾性率が０．１Ｎ／ｍｍ２未満であることが好ましい。
【００４２】
凹凸編地領域は、筒状のサポーター部の軸方向及び周方向のうちの一方向に伸長率２００％にて伸長させたときに、一方向の弾性率が、０．１Ｎ／ｍｍ２未満であり、筒状のサポーター部の軸方向及び周方向のうちの他方向に伸長率２００％にて伸長させたときに、他方向の弾性率が、０．１Ｎ／ｍｍ２〜０．５Ｎ／ｍｍ２であることが好ましい。
上記一方向の弾性率の値を０．１Ｎ／ｍｍ２未満にすることで肌ストレスを軽減できる。そして、上記他方向の弾性率が０．１Ｎ／ｍｍ２以上であると、フィット感がより向上する。また、上記他方向の弾性率が０．１Ｎ／ｍｍ２以上であると、サポーター部の着用ずれを抑制できる。さらに、上記他方向の弾性率が０．５Ｎ／ｍｍ２以下であると、肌ストレスをより軽減できる。
軸方向及び周方向の弾性率が異なる編地は、フロート編みの編目の飛ばし目の数を適宜調整することで製造することができる。
【００４３】
本明細書中において、軸方向の弾性率は、測定対象領域（例えば凹凸編地領域）の中心位置（即ち、周方向の中心であってかつ軸方向の中心である位置）を測定中心とする、測定幅（即ち、周方向長さ）１５ｍｍの範囲について測定された値を意味する。
本明細書中において、軸方向の弾性率は、つかみ幅１５ｍｍ、つかみ間隔１５ｍｍ、及び引張荷重２０Ｎの条件の引張試験によって測定する。ここで、引張荷重の方向は、サポーター部の軸方向である。
【００４４】
上記軸方向の弾性率の測定においては、凹凸編地領域の一部を、つかみ幅１５ｍｍ及びつかみ間隔１５ｍｍで引張試験機に固定し、１５ｍｍ／ｍｉｎの引張速度にて引張って伸長させ、２００％伸長した時点での弾性率を読み取って測定値とする。
また、引張試験は、凹凸編地領域の一部に対して実施することが困難な場合には、凹凸編地領域から３０ｍｍ角の試験片を切り出し、切り出された試験片に対して実施してもよい。また、引張試験は、凹凸編地領域と同一編成の凹凸編地による３０ｍｍ角の試験片を作製し、作製した試験片に対して実施してもよい。
引張試験の試験結果から得られる代表値を「軸方向に２００％伸長させたときの軸方向の弾性率」として採用する。
引張試験の装置は一般的な引張試験機を用いることができるが、例えば、（株）島津製作所製のオートグラフ「ＡＧＳ−Ｘ  １ｋＮ」を用いることができる。
【００４５】
また、本明細書中において、周方向の弾性率は、引張荷重の方向をサポーター部の周方向とすること以外は、軸方向の弾性率と同様にして測定された値を意味する。
【００４６】
関節の曲げ伸ばし動作は、関節周りの皮膚を伸長させる。そこで、関節周りの皮膚の伸長方向に伸縮性の高い編地を使用することにより、動作追従性がより向上する。
例えば、関節周りの皮膚の伸長の程度が、周方向よりも軸方向に大きい場合には、凹凸編地領域は、（軸方向の伸長率）＞（周方向の伸長率）の関係を満たすことが好ましい。
一方で、関節周りの皮膚の伸長の程度が、軸方向よりも周方向に大きい場合には、凹凸編地領域は、（周方向の伸長率）＞（軸方向の伸長率）の関係を満たすことが好ましい。
ここで、軸方向の伸長率及び周方向の伸長率は、それぞれ、つかみ幅１５ｍｍ、つかみ間隔１５ｍｍ、及び引張荷重２０Ｎの条件の引張試験によって測定された伸長率である。
【００４７】
本実施の形態における凹凸編地領域の比率〔軸方向の伸長率／周方向の伸長率〕の好ましい範囲は、動作追従性をより向上させる観点から、１．２以上が好ましく、１．４以上がより好ましい。
また、比率〔軸方向の伸長率／周方向の伸長率〕としては、サポート感及びフィット感の観点から、５．０以下が好ましく、３．８以下がより好ましく、３．２以下が特に好ましい。
【００４８】
また、本実施の形態の衣類における凹凸編地領域は、上記軸方向の伸長率及び上記周方向の伸長率が、（軸方向の伸長率）＞（周方向の伸長率）の関係を満たすが、動作追従性をより向上させる観点から、（軸方向の伸長率）＞（（周方向の伸長率）＋１００）の関係を満たすことが好ましく、（軸方向の伸長率）＞（（周方向の伸長率）＋２００）の関係を満たすことがより好ましく、（軸方向の伸長率）＞（（周方向の伸長率）＋２５０）の関係を満たすことが更に好ましい。
【００４９】
本実施の形態の衣類における凹凸編地領域の上記軸方向の伸長率としては、２００％以上がより好ましく、３００％以上が更に好ましく、４００％以上が更に好ましく、５００％以上が更に好ましく、６００％以上が更に好ましい。
【００５０】
本明細書中において、単に「伸長率」というときは、軸方向（縦方向）の伸長率及び周方向（横方向）の伸長率の両方を意味する。
【００５１】
本実施の形態の衣類において、肌ストレスをより軽減する観点から、一端側領域及び他端側領域の少なくとも一方が、凹凸編地領域を含むことが好ましく、一端側領域及び他端側領域が（即ち、両方が）、凹凸編地領域を含むことがより好ましく、一端側領域及び他端側領域が、同じ半周側に凹凸編地領域を含むことが特に好ましい。
更に好ましくは、筒状のサポーター部において、一端側領域の後面側領域及び他端側領域の後面側領域の少なくとも一方が、凹凸編地領域を含むことであり、更に好ましくは、一端側領域の後面側領域及び他端側領域の後面側領域の各々が、凹凸編地領域を含むことである。
【００５２】
ここで、前面側とは、筒状のサポーター部における前記着圧付与領域の中心ＸＸを中心とする半周側（関節用サポーターにおける関節を曲げ伸ばした時の外側；膝用サポーターである場合には膝蓋骨側）を指し、後面側とは、筒状のサポーター部における残りの半周側（関節用サポーターにおける関節を曲げ伸ばした時の内側；膝用サポーターである場合には膝蓋骨側）を指す。以下、同様とする。
【００５３】
本実施の形態の衣類において、一端側領域及び他端側領域の少なくとも一方（好ましくは両方）が、凹凸編地領域と、凹凸編地領域よりも軸方向の弾性率が高い領域（以下、「領域Ｍ」ともいう）と、を含み、凹凸編地領域と、領域Ｍと、が周方向に配置されている形態が好ましい。
これにより、一端側領域及び他端側領域の少なくとも一方（好ましくは両方）において、凹凸編地領域により肌ストレス軽減と、領域Ｍによる着用時の安定感向上（詳細には、ある程度の着圧向上）と、が両立される。
凹凸編地領域、及び、領域Ｍは、肌ストレス軽減の観点から、いずれも弾性糸によって編成されている編地であることがより好ましい。
また、筒状のサポーター部において、凹凸編地領域が後面側領域にあり、領域Ｍが前面側領域にある態様が好ましい態様である。一端側領域の後面側領域及び他端側領域の後面側領域の少なくとも一方の領域では、各々の前面側（関節部位は含まない）の領域よりも、関節の曲げ伸ばしによる皮膚の伸び縮みの程度が大きい。そのため、より伸長性の高い編地である凹凸編地を含む凹凸編地領域を後面側領域に適用することが着用ずれの改善に効果的である。そして、各々の前面側領域に領域Ｍを配置することで、より効果的に着用時の安定感を向上できる。
【００５４】
一端側領域及び他端側領域の少なくとも一方が凹凸編地領域及び領域Ｍを含む上記の形態においても、前述の凹凸編地領域の面積、周方向長さ、配置、形状についての好ましい態様を適用できる。
領域Ｍの周方向長さは、着用時の安定感を付与する観点から、サポーター部の全周長さ（詳しくは、領域Ｍを横切る全周の長さ）の１／３以上の長さであることがより好ましい。
ここで、領域Ｍの周方向長さとは、領域Ｍが周方向に分割して配置される場合には、周方向に重複なく寄せ集めた場合の総周方向長さをいう。
また、領域Ｍの軸方向長さは、一端側領域及び他端側領域の軸方向長さの１／３の領域以上であることが好ましい。
ここで、領域Ｍの軸方向長さとは、領域Ｍが軸方向に分割して配置される場合には、軸方向に重複なく寄せ集めた場合の総軸方向長さをいう。
領域Ｍは、一端側領域及び他端側領域の少なくとも一方の中に複数配置されていてもよい。上記少なくとも一方の中に複数の領域Ｍを配置する場合、その配置は特に限定されない。領域Ｍの形状、及び、隣接する領域との境界ラインの形状は、特に限定されない。
【００５５】
一端側領域及び他端側領域の少なくとも一方が凹凸編地領域及び領域Ｍを含む上記の形態において、サポーター部は、着圧付与領域、凹凸編地領域、及び領域Ｍを含む。上記形態において、サポーター部は、着圧付与領域、凹凸編地領域、及び領域Ｍ以外の領域（その他の領域）を含んでいてもよい。
着圧付与領域、凹凸編地領域、及び領域Ｍに加え、その他の領域を含む場合、その他の領域は、織物；樹脂シート；着圧付与領域、凹凸編地領域、及び領域Ｍとは異なる編み組織；等によって構成することができる。
中でも、肌ストレス軽減の観点からは、編み組織又は織物が好ましく、弾性糸を用いた編み組織がより好ましい。ただし、その他の領域の組織は、一端側領域及び他端側領域における平均着圧が着圧付与領域の着圧よりも低くなるように適宜選定する。
【００５６】
また、本実施の形態では、肌ストレスをより低減させる観点から、以下に列挙する態様も好ましい。
関節周りの皮膚の伸長の程度が、周方向よりも軸方向に大きい場合であって、一端側領域の後面側が凹凸編地領域を含む場合には、軸方向の伸長率が、（一端側領域の後面側の凹凸編地領域）＞（一端側領域の前面側領域）の関係を満たすことが好ましい。
また、関節周りの皮膚の伸長の程度が、周方向よりも軸方向に大きい場合であって、他端側領域の後面側領域が凹凸編地領域を含む場合には、軸方向の伸長率が、（他端側領域の後面側の凹凸編地領域）＞（他端側領域の前面側領域）の関係を満たすことが好ましい。
関節周りの皮膚の伸長の程度が、周方向よりも軸方向に大きい場合であって、一端側領域の後面側及び他端側領域の後面側が凹凸編地領域を含む場合には、軸方向の伸長率が、（一端側領域の後面側の凹凸編地領域）＞（一端側領域の前面側領域）の関係、及び、（他端側領域の後面側の凹凸編地領域）＞（他端側領域の前面側領域）の関係を満たすことが好ましい。
関節周りの皮膚の伸長の程度が、軸方向よりも周方向に大きい場合であって、一端側領域の後面側が凹凸編地領域を含む場合には、周方向の伸長率が、（一端側領域の後面側の凹凸編地領域）＞（一端側領域の前面側領域）の関係を満たすことが好ましい。
また、関節周りの皮膚の伸長の程度が、軸方向よりも周方向に大きい場合であって、他端側領域の後面側が凹凸編地領域を含む場合には、周方向の伸長率が、（他端側領域の後面側の凹凸編地領域）＞（他端側領域の前面側領域）の関係を満たすことが好ましい。
関節周りの皮膚の伸長の程度が、軸方向よりも周方向に大きい場合であって、一端側領域の後面側及び他端側領域の後面側が凹凸編地領域を含む場合には、周方向の伸長率が、（一端側領域の後面側の凹凸編地領域）＞（一端側領域の前面側領域）の関係、及び、（他端側領域の後面側の凹凸編地領域）＞（他端側領域の前面側領域）の関係を満たすことが好ましい。
好ましい態様は、関節の種類に応じて、適宜適用することができる。
ここで、軸方向の伸長率及び周方向の伸長率は、それぞれ、つかみ幅１５ｍｍ、つかみ間隔１５ｍｍ、及び引張荷重２０Ｎの条件の引張試験によって測定された伸長率である。
【００５７】
本実施の形態における前面側は、膝蓋骨側に対応し、本実施の形態における後面側は、膝窩部側に対応する。
【００５８】
本実施の形態の衣類におけるサポーター部は、上記軸方向の伸長率が、１５０％以上であることが好ましい。
【００５９】
本発明者等の検討により、衣類のサポーター部が、膝をサポートする中央領域、脚の膝に対して太腿側をサポートする一端側領域、及び脚の膝に対して脛側をサポートする他端側領域を含む筒状のサポーター本体を備え、かつ、中央領域の平均着圧ＸＡと一端側領域及び他端側領域の平均着圧ＸＢとが、（平均着圧ＸＡ）＞（平均着圧ＸＢ）の関係を満たす場合（即ち、中央領域の平均着圧ＸＡが一端側領域及び他端側領域の平均着圧ＸＢよりも高い場合）に、着用者の体感として、脚に対するサポート感及びフィット感が特に向上することが明らかとなった。
この理由は明らかではないが、中央領域の平均着圧ＸＡと一端側領域及び他端側領域の平均着圧ＸＢとが、（平均着圧ＸＡ）＞（平均着圧ＸＢ）の関係を満たすことにより、このサポーター部を有する衣類を着用した着用者が、中央領域によってサポートされている膝において、実際の平均着圧ＸＡよりも高い着圧でサポートされている感覚（即ち、錯覚）を持つためと考えられる。
【００６０】
更に、本発明者等の検討により、中央領域の平均着圧ＸＡと一端側領域及び他端側領域の平均着圧ＸＢとが、（平均着圧ＸＡ）＞（平均着圧ＸＢ）の関係を満たす場合、サポート感及びフィット感は向上するものの、膝関節の曲げ伸ばし動作に対するサポーター部（膝用サポーター）の追従性（以下、「動作追従性」ともいう）が損なわれる場合があることも判明した。
本発明者等は、更に検討した結果、中央領域の平均着圧ＸＡと一端側領域及び他端側領域の平均着圧ＸＢとが、（平均着圧ＸＡ）＞（平均着圧ＸＢ）の関係を満たす場合であっても、一端側領域及び他端側領域のうちの少なくとも一部の領域について、下記（１）及び（２）の少なくとも一方を満たすことにより、着用者の体感として、動作追従性が改善することを見出した。
（１）つかみ幅１５ｍｍ、つかみ間隔１５ｍｍ、及び引張荷重２０Ｎの条件の引張試験によって測定された軸方向の伸長率及び周方向の伸長率が、軸方向の伸長率が周方向の伸長率より大きいという関係（（軸方向の伸長率）＞（周方向の伸長率））である。
（２）上記（１）に示した条件の引張試験によって測定された軸方向の伸長率が１５０％以上である。
【００６１】
従って、本実施の形態の衣類のサポーター部は、脚の膝を含む部分に着用されたときに、サポート感及びフィット感に優れ、かつ、膝関節の曲げ伸ばし動作に対する追従性（動作追従性）にも優れる。
【００６２】
本明細書中において、「平均着圧」とは、着圧（サポーター本体による締め付け圧）の平均値を意味する。
本明細書中における、平均着圧ＸＡ、平均着圧ＸＢ、平均着圧ＸＢ１、及び平均着圧ＸＢ２の具体的な測定方法については後述する。
【００６３】
本実施の形態の衣類のサポート部では、中央領域の平均着圧ＸＡと一端側領域及び他端側領域の平均着圧ＸＢとが、（平均着圧ＸＡ）＞（平均着圧ＸＢ）の関係を満たしている。言い換えれば、本実施形態の膝用サポーターでは、着圧差〔ＸＡ−ＸＢ〕が０を超えている。
着圧差〔ＸＡ−ＸＢ〕としては、サポート感及びフィット感をより向上させる観点から、０．８ｋＰａ以上が好ましく、１．０ｋＰａ以上がより好ましく、１．２ｋＰａ以上が特に好ましい。
一方、着圧差〔ＸＡ−ＸＢ〕としては、過度の圧迫を抑制することにより快適性をより向上させる観点から、３．５ｋＰａ以下が好ましく、３．３ｋＰａ以下がより好ましく、３．０ｋＰａ以下が更に好ましく、２．８ｋＰａが更に好ましく、２．５ｋＰａが特に好ましい。
【００６４】
平均着圧ＸＢは、０ｋＰａ以上であれば特に制限はないが、サポート感及び快適性をより向上させる観点から、０．１ｋＰａ以上であることが好ましい。
平均着圧ＸＢとしては、０．５ｋＰａ以上がより好ましく、１．０ｋＰａ以上が更に好ましい。
【００６５】
平均着圧ＸＡは、平均着圧ＸＢに対して（平均着圧ＸＡ）＞（平均着圧ＸＢ）の関係を満たす限り特に制限はない。平均着圧ＸＡは、サポート感及び快適性をより向上させる観点から、１．５ｋＰａ以上であることが好ましく、２．０ｋＰａ以上であることがより好ましく、２．６ｋＰａ以上であることが更に好ましい。
【００６６】
平均着圧ＸＡの上限には特に制限はないが、過度の圧迫を抑制することにより快適性をより向上させる観点から、平均着圧ＸＡは、１０．０ｋＰａ以下であることが好ましく、８．０ｋＰａ以下であることがより好ましい。
【００６７】
また、本実施の形態では、脚に対するサポート感及びフィット感をより向上させる観点から、中央領域の平均着圧ＸＡと一端側領域の平均着圧ＸＢ１とが、（平均着圧ＸＡ）＞（平均着圧ＸＢ１）の関係を満たすことが好ましく、（（平均着圧ＸＡ）−（平均着圧ＸＢ１））≧０．８ｋＰａの関係を満たすことがより好ましく、（（平均着圧ＸＡ）−（平均着圧ＢＸ１））≧１．０ｋＰａの関係を満たすことが特に好ましい。
また、本実施の形態では、脚に対するサポート感及びフィット感をより向上させる観点から、中央領域の平均着圧ＸＡと他端側領域の平均着圧ＸＢ２とが、（平均着圧ＸＡ）＞（平均着圧ＸＢ２）の関係を満たすことが好ましく、（（平均着圧ＸＡ）−（平均着圧ＸＢ２））≧０．８ｋＰａの関係を満たすことがより好ましく、（（平均着圧ＸＡ）−（平均着圧ＸＢ２））≧１．０ｋＰａの関係を満たすことが特に好ましい。
【００６８】
本実施の形態では、脚に対するサポート感及びフィット感を特に向上させる観点から、平均着圧ＸＡと平均着圧ＸＢ１とが、（平均着圧ＸＡ）＞（平均着圧ＸＢ１）の関係を満たし、かつ、平均着圧ＸＡと平均着圧ＸＢ２とが、（平均着圧ＸＡ）＞（平均着圧ＸＢ２）の関係を満たすことが好ましく、平均着圧ＸＡと平均着圧ＸＢ１とが、（（平均着圧ＸＡ）−（平均着圧ＸＢ１））≧０．８ｋＰａの関係を満たし、かつ、平均着圧ＸＡと平均着圧ＸＢ２とが、（（平均着圧ＸＡ）−（平均着圧ＸＢ２））≧０．８ｋＰａの関係を満たすことがより好ましく、平均着圧ＸＡと平均着圧ＸＢ１とが、（（平均着圧ＸＡ）−（平均着圧ＸＢ１））≧１．０ｋＰａの関係を満たし、かつ、平均着圧ＸＡと平均着圧ＸＢ２とが、（（平均着圧ＸＡ）−（平均着圧ＸＢ２））≧１．０ｋＰａの関係を満たすことが特に好ましい。
【００６９】
平均着圧ＸＢ１は、０ｋＰａ以上であれば特に制限はないが、サポート感及び快適性をより向上させる観点から、０．１ｋＰａ以上であることが好ましい。
平均着圧ＸＢ１としては、０．５ｋＰａ以上がより好ましく、１．０ｋＰａ以上が更に好ましい。
【００７０】
平均着圧ＸＢ２は、０ｋＰａ以上であれば特に制限はないが、サポート感及び快適性をより向上させる観点から、０．１ｋＰａ以上であることが好ましい。
平均着圧ＸＢ２としては、０．５ｋＰａ以上がより好ましく、１．０ｋＰａ以上が更に好ましい。
【００７１】
また、本実施の形態において、動作追従性をより向上させる観点から、凹凸編地領域の軸方向の伸長率は、１５０％以上であることが好ましい。
【００７２】
また、中央領域を、着圧付与領域の中心ＸＸと中央領域の後面側の中心ＸＹとの距離が長くなる方向に５ｋｇの力で伸ばした場合に、中央領域の伸び率が１８０％〜２８０％であることが好ましい。
中央領域の伸び率が１８０％以上であることにより、着用者の体感として、関節の曲げ伸ばしをやり易くなる。
中央領域の伸び率が２８０％以下であることにより、着用者の体感として、高いサポート感が維持される。
【００７３】
中央領域の伸び率は、中央領域の置き寸（即ち、上述の伸ばす操作を行う前の中央領域の長さ）に対する中央領域の伸び寸（即ち、上述の伸ばす操作を行った後の中央領域の長さ）の割合（％）を意味する。
【００７４】
ここで、図７を参照し、中央領域の置き寸について説明し、図８を参照し、中央領域の伸び寸について説明する。なお、図７及び図８中の符号は、後述する具体例の符号に対応する。
図７は、衣類のサポーター部を、サポーター部の右側と左側とが重なるようにして平置きした様子を示す概念図である。
置き寸を測定する際には、関節用サポーター２００を前後が重なるようにし、水平な机上に平置きして測定する。測定された位置Ｘと位置Ｙとの距離を、置き寸Ｌ１０１とする。
図８は、関節用サポーター２００を、位置Ｘと位置Ｙとの距離が離れる方向に伸ばした様子を示す概念図である。
伸び寸を測定する際には、まず、互いの距離が離れる方向に相対移動な、伸び寸測定用の一対のＬ字型アームを準備する。上記一対のＬ字型アーム（不図示）を関節用サポーター２００の内部空間に挿入し、一方のＬ字型アームの突出し部を位置Ｘに配置させ、かつ、一方のＬ字型アームの突出し部を位置Ｙに配置させる。次いで、一方のＬ字型アームと他方のＬ字型アームとを互いの距離が離れる方向に相対移動させることにより、中央領域１１０を、位置Ｘと位置Ｙとの距離が離れる方向に５ｋｇの力で内部から押し伸ばす。押し伸ばされた状態の位置Ｘと位置Ｙとの距離を測定し、伸び寸Ｌ１０２とする。
【００７５】
中央領域の伸び率は、例えば、大竹工作所製の「新おもり式寸法測定器（ソックス用）」を用いて測定することができる。
【００７６】
中央領域の伸び率の上限は、２６０％であることがより好ましく、２４０％であることが特に好ましい。
【００７７】
ここでいう「周方向の伸長率」は、中央領域中の部分的な伸長率であり、生地一枚分の伸長率である。
これに対し、上述した「中央領域の伸び率」は、中央領域全体の伸び率であり、しかも生地二枚分（右側及び左側）の伸び率である。
【００７８】
また、着圧付与領域を設ける中央領域の伸び率を測定できる場合、着圧付与領域の中心ＸＸ、中央領域の後面側の中心ＸＹ、及び、中心ＸＸと中心ＸＹとの中間位置の合計３点について、それぞれ、つかみ幅１５ｍｍ、つかみ間隔１５ｍｍ、及び引張荷重２０Ｎの条件の引張試験によって周方向の伸長率を測定した場合に、３つの測定値の全てが１００％〜２５０％の範囲に含まれても良く、３つの測定値における最大値と最小値との差が０％〜８０％であっても良い。
これにより、関節の曲げ伸ばしのやり易さ、及び、サポート感がより効果的に両立される。
【００７９】
また、着圧付与領域の中心ＸＸを中心とする測定範囲ＸＸ１、中央領域の後面側の中心ＸＹから軸方向に延ばした延長線上であって一端側領域における軸方向の中心である位置ＸＴを中心とする測定範囲ＸＴ１、及び中央領域の後面側の中心ＸＹから軸方向に延ばした延長線上であって他端側領域における軸方向の中心である位置ＸＳを中心とする測定範囲ＸＳ１の各々について、つかみ幅１５ｍｍ、つかみ間隔１５ｍｍ、及び引張荷重２０Ｎの条件の引張試験によって周方向の伸長率を測定したときに、測定範囲ＸＸ１の周方向の伸長率が、測定範囲ＸＴ１の周方向の伸長率及び測定範囲ＸＳ１の周方向の伸長率のいずれよりも低いことが好ましい。これにより、（平均着圧ＸＡ）＞（平均着圧ＸＢ）の関係を満たしやすくなり、その結果、サポート感及びフィット感がより向上する。
【００８０】
また、測定範囲ＸＸ１、測定範囲ＸＴ１、及び測定範囲ＸＳ１の各々について、上記引張試験によって軸方向の伸長率を測定したときに、測定範囲ＸＸ１の軸方向の伸長率が、測定範囲ＸＴ１の軸方向の伸長率及び測定範囲ＸＳ１の軸方向の伸長率のいずれよりも低いことが好ましい。これにより、（平均着圧ＸＡ）＞（平均着圧ＸＢ）の関係を満たしやすくなり、その結果、サポート感及びフィット感がより向上する。
【００８１】
筒状のサポーター部を平たく潰して略平面形状とした場合の平面視における形状は、軸方向について対称であっても非対称であってもよく、また、周方向について対称であっても非対称であってもよい。上記平面視における形状は、略長方形であってもよいし、一部が湾曲した形状であってもよい。筒状のサポーター部の形状は、適用する関節の形状に応じて適宜選択できる。
筒状のサポーター部に含まれる各領域の境界ラインは、直線状であっても、湾曲していても、波線状であってもよい。また、各領域の編み組織は、一体的に編まれていてもよいし、一体的に編まれていなくてもよい。
【００８２】
筒状のサポーター部の全体の構造は、シームレス構造であることが好ましい。シームレス構造とは、軸方向の縫い目（例えば、縫い合わせにより筒形状を形成するための縫い目）も周方向の縫い目（例えば、各部を縫い合わせるための縫い目）も無い一体型の構造を意味する。
シームレス構造の筒状のサポーター部は、このサポーター部を、丸編みによって連続的に製造することにより形成できる。
【００８３】
また、筒状のサポーター部は、更に、一端側領域から見て中央領域の反対側に配置された一端側口ゴム部、及び、他端側領域から見て中央領域の反対側に配置された他端側口ゴム部を含むことが好ましい。これにより、サポーター部の着用ずれやめくれがより効果的に抑制される。
筒状のサポーター部が一端側口ゴム部及び他端側口ゴム部を含む場合、一端側口ゴム部及び他端側口ゴム部は、それぞれ、縫い合わせによって一端側領域及び他端側領域と接続されていてもよいし、それぞれ、丸編みによって一端側領域及び他端側領域とともに連続的に製造されていてもよい。
上述した着用時のフィット感及び伸長率の確保の観点から、一端側口ゴム部及び他端側口ゴム部は、それぞれ、丸編みによって一端側領域及び他端側領域とともに連続的に製造されていることが好ましい一態様である。
また、同様の観点から、一端側口ゴム部、一端側領域、中央領域、他端側領域、及び他端側口ゴム部の全体の構造は、シームレス構造であることが好ましい一態様である。
また、一端側口ゴム部及び他端側口ゴム部の少なくとも一方が、身体に巻き付けて筒状となる構造であってもよい。また、一端側口ゴム部及び他端側口ゴム部の少なくとも一方は、例えば、固定ベルトなど（例えば、面ファスナーなど）を付属していてもよい。
【００８４】
また、少なくとも一端側口ゴム部の裏面（即ち、身体との対向面。以下同じ。）の少なくとも一部には、サポーター部の着用ずれ抑制の観点から、樹脂層（例えばシリコーンゴム層）が設けられていることが好ましい。樹脂層は、例えば印刷によって形成できる。樹脂層は、他端側口ゴム部の裏面に設けられていてもよい。
【００８５】
さらに、本実施の形態の衣類は、サポーター部以外のその他の部材を備えていてもよい。
その他の部材としては、例えば棒状の支持部材（ステー）；サポーター部の一部を身体の一部に固定するため又はサポート感を向上するための固定ベルト；ポケット、タグ、等が挙げられる。これらは、本実施の形態のサポーター部とは分離して配置されていてもよく、又はサポーター部に縫い付けられるなどにより一体として配置されていてもよい。その他の部材は、サポーター部のいずれに配置されてもよい。
また、その他の部材として、サポーター部の編み組織の表面には樹脂を付してもよい。樹脂を付する方法としては、スプレー、転写（例えば、熱転写）、樹脂含浸、グラビア印刷、スクリーン捺染、ロータリー捺染、熱圧着、接着などが挙げられる。樹脂としては、弾性樹脂が好ましい。
これらの中でも、一端側口ゴム部の表面（身体との対向面に対して反対側の面）に固定ベルトを備えることにより、サポーター部の着用ずれをより効果的に改善できる。固定ベルトは、身体の一部に対する締め付け力を調整する部材（例えば、面ファスナー、バックル、サイドリリースバックル、ワイヤアジャスタ、等）を備えることが好ましい。
本実施の形態の衣類は、単独で着用してもよいし、湿布や包帯などを付けた上に、重ねて着用してもよい。
【００８６】
一方、本実施の形態の衣類には、関節用サポーター部の中央領域における着圧付与領域の前面側領域、一端側領域の前面側領域及び他端側領域の前面側領域の少なくとも一領域に少なくとも１つの開口部を有しており、開口部は、サポーター部を貫通する貫通孔にされている。
サポーター部において関節の曲げ伸ばし動作の追従性を向上させる観点から、開口部は、サポーター部において、曲げ伸ばし動作に対する追従性が要求される領域に設けることが好ましい。
【００８７】
例えば、膝に着用されるサポーター部では、サポーター部の前面側において、膝関節の周囲及び膝関節の周囲よりも上方側（太腿側）に設けられることが好ましい。これにより、膝の曲げ伸ばし動作においてサポーター部の追従性を向上できるので、膝の曲げ伸ばし動作容易性を向上できる。
また、肘に着用されるサポーター部では、サポーター部の前面側において、肘関節の周囲、肘関節の周囲よりも上側（上腕側）、及び肘関節の周囲よりも下側（前腕側）の何れに設けても良い。
さらに、橈骨手根関節（手根関節）に着用されるサポーター部においては、手骨関節の周囲、手骨関節の手骨側、及び橈骨（肘側）の何に開口部が設けられても良い。
【００８８】
開口部の数は、一つであっても良く、複数であっても良い。即ち、サポーター部の前面側において、着圧付与領域、一端側領域及び他端側領域の各々に設けても良く、着圧付与領域、一端側領域及び他端側領域のうち２つの領域に設けても良い。
また、開口部は、着圧付与領域、一端側領域及び他端側領域の少なくとも一つの領域に複数設けても良い。
【００８９】
開口部の形状は、矩形状や五角形以上の多角形状（多角形に近似する形状も含む）であっても良いが、角部を有しない円形状や長円状（楕円状或いはスリット状）であることがより好ましい。また、開口部が長円状である場合、長軸方向がサポーター部の軸方向又は周方向であることが好ましい。
【００９０】
開口部の最小寸法は、制限がないが、最小寸法は５ｍｍ以上であることが好ましい。
また、開口部の最大寸法は、サポート感の低下を抑制する観点から、サポート部の置き寸法に対して１／２以下であることが好ましい。
ここで、開口部の最小寸法は、サポーター部の非伸長時のサポーター部の軸方向又は周方向に対する寸法において、何れか小さい方の寸法の下限値である。また、開口部の最大寸法は、サポーター部の非伸長時のサポーター部の軸方向又は周方向に対する寸法において、何れか大きい方の寸法の上限値であり、複数の開口部が設けられている場合には、複数の開口部の軸方向又は周方向の開口幅の総和のうちで、何れか大きい方向の総和の上限値でもある。
【００９１】
サポーター部において複数の開口部を設ける場合、各々の開口部は、サポーター部の軸方向及び周方向に配列されても良く、軸方向の複数段に渡って、周方向に一つ又は複数が配列されても良く、周方向の複数段に渡って、軸方向に一つ又は複数が配列されても良い。
【００９２】
＜具体例＞
以下、図面を参照し、本実施の形態の衣類の具体例であるサポーターについて説明するが、本実施の形態の衣類はこの具体例に限定されることはない。
【００９３】
図１及び図２は、それぞれ、本実施の形態の衣類の具体例である関節用サポーター（直線的な形状を有する関節用サポーター）を概念的に示す正面図（前面図）及び背面図（後面図）である。
より詳細には、図１は、本実施の形態の衣類の具体例である関節用サポーターの前面側と後面側とを重ねることにより、関節用サポーターの形状を略平面形状とした時の正面図（前面側を示す図）であり、図２は、この時の背面図（後面側を示す図）である。
【００９４】
図１及び図２に示すように、本実施の形態の衣類の具体例である関節用サポーター２００（筒状の関節用サポーター部）は、
関節用サポーター２００の軸方向の中央領域１１０と、
中央領域１１０に対して軸方向の一端側に位置する一端側領域１１２と、
中央領域１１０に対して軸方向の他端側に位置する他端側領域１１４と、
一端側領域１１２から見て中央領域１１０の反対側に配置された一端側口ゴム部１１３と、
他端側領域１１４から見て中央領域１１０の反対側に配置された他端側口ゴム部１１５と、
によって構成されている。
【００９５】
中央領域１１０は、中央領域１００の前面側領域１１０Ａ及び中央領域１１０の後面側領域１１０Ｂによって構成されている。この具体例では、中央領域１１０の前面側領域１１０Ａの全体が、関節部位に着圧を付与するための着圧付与領域となっている。
但し、本実施の形態はこの一例に限定されず、中央領域１１０の前面側領域１１０Ａの一部のみが着圧付与領域となっていてもよい。
本実施の形態における関節用サポーター部を、その前面側と後面側とを重ねることにより略平面形状とした場合の平面視における全体形状は、図１及び図２に示す関節用サポーター２００と同様に略長方形であってもよく、関節の形状に併せて湾曲した形状であってもよい。また、本実施の形態の効果を奏する限り、編地は一体的に編まれてなくても良い。
また、本実施の形態における関節用サポーター部は、湿布や包帯などを付けた上に着用してもよい。
本実施の形態における着圧付与領域の周方向長さは、少なくとも関節部位を覆う長さであればよく、好ましくは、中央領域１１０の全周長さの１／３以上の長さである。
また、本実施の形態における着圧付与領域の軸方向長さは、少なくとも関節部位を覆う長さであればよく、好ましくは、中央領域１１０の軸方向長さの１／３以上の長さである。
【００９６】
着圧付与領域の着圧は、一端側領域１１２及び他端側領域１１４の平均着圧よりも高くなっている。これにより、関節用サポーター２００は、サポート感及びフィット感に優れる。
【００９７】
着圧付与領域（この例では中央領域１１０の前面側領域１１０Ａ）は、好ましくは、低伸長性のメッシュ編み組織を主体とする編み組織にて編成する。
中央領域１１０中、着圧付与領域以外の領域も、着圧付与領域と同様の編み組織にて編成されていてもよいが、着圧付与領域以外の領域の構成については特に制限はない。
中央領域１１０中、着圧付与領域以外の領域は、織物、樹脂シート、着圧付与領域とは異なる編み組織、等によって構成することができる。中でも、編み組織や織物が好ましく、弾性糸を用いた編み組織とすることがより好ましい。
【００９８】
なお、本具体例において、「前面側」及び「後面側」の区別は、筒状のサポーター部における周方向の位置を説明するための便宜上の区別である。従って、筒状のサポーター部は、必ずしも、物理的に前面側と後面側とに分割されている必要はない。
【００９９】
一端側領域１１２は、一端側領域１１２の前面側領域１１２Ａ及び一端側領域１１２の後面側領域１１２Ｂによって構成されている。
他端側領域１１４は、他端側領域１１４の前面側領域１１４Ａ及び他端側領域１１４の後面側領域１１４Ｂによって構成されている。
【０１００】
図２に示すように、一端側領域１１２の後面側領域１１２Ｂは、その周方向両端部を除き、凹凸編地からなる凹凸編地領域１１２Ｃによって構成されている。
他端側領域１１４の後面側領域１１４Ｂも同様に、その周方向両端部を除き、凹凸編地からなる凹凸編地領域１１４Ｃによって構成されている。
【０１０１】
一端側領域１１２及び他端側領域１１４の全体は、弾性糸によって編成されている。
凹凸編地領域１１２Ｃの凹凸編地及び凹凸編地領域１１４Ｃの凹凸編地は、弾性糸を用いたフロート編みを含むメッシュ編みによって編成されている。
【０１０２】
一端側領域１１２において、凹凸編地領域１１２Ｃ以外の領域（一端側領域１１２の後面側領域１１２Ｂの一部及び一端側領域１１２の前面側領域１１２Ａ）は、凹凸編地領域１１２Ｃよりも軸方向の弾性率が高い領域となっている。
他端側領域１１４において、凹凸編地領域１１４Ｃ以外の領域（他端側領域１１４の後面側領域１１４Ｂの一部及び他端側領域１１４の前面側領域１１４Ａ）は、凹凸編地領域１１４Ｃよりも軸方向の弾性率が高い領域となっている。
一端側領域１１２及び他端側領域１１４は、いずれも、凹凸編地領域１１２Ｃ、１１４Ｃと凹凸編地領域１１２Ｃ、１１４Ｃよりも軸方向の弾性率が高い領域とが周方向に配置されている態様の一例である。
これらの構成により、関節用サポーター２００は、一端側領域１１２及び他端側領域１１４において、凹凸編地領域１１２Ｃ、１１４Ｃにより肌ストレス軽減と、凹凸編地領域１１２Ｃ、１１４Ｃよりも軸方向の弾性率が高い領域による着用時の安定感向上と、が両立されている。
【０１０３】
一端側領域１１２において、凹凸編地領域１１２Ｃよりも軸方向の弾性率が高い領域は、凹凸編地領域１１２Ｃよりも軸方向の伸長率が低い領域となっている。
他端側領域１１４において、凹凸編地領域１１４Ｃよりも軸方向の弾性率が高く、かつ、凹凸編地領域１１４Ｃよりも軸方向の伸長率が低い領域となっている。
【０１０４】
図３は、図２中の一点鎖線で囲った部分の拡大図（即ち、凹凸編地の拡大図）であり、図４は、図３のＡ−Ａ線端面図である。
図３及び図４に示すように、凹凸編地領域１１２Ｃは、複数の凹部２０２及び複数の凹部２１０を含む凹凸構造を有している。言うまでも無く、凹凸編地領域１１２Ｃのうち、複数の凹部２０２及び複数の凹部２１０以外の部分が、複数の凹部２０２及び複数の凹部２１０の底に対して、相対的に凸部を構成している。なお、図３及び図４では、一部の凹部にのみ、符号２０２又は２１０を付している。
【０１０５】
凹部２０２は、平面視において長尺形状を有している。凹部２０２の長尺形状の長手方向は、関節用サポーター２００の周方向に対して略平行となっている。
長尺形状の凹部２０２は、凹凸編地領域１１２Ｃの伸び易さ（特に、軸方向の伸び易さ）に寄与している。
凹部２１０は、平面視において円形状を有している。凹部２１０の深さは、凹部２０２の深さよりも浅くなっている。凹部２１０の直径は、凹部２０２の幅よりも小さくなっている。凹凸編地領域１１２Ｃでは、凹部２０２だけでなく凹部２１０も有することにより、凹凸編地領域１１２Ｃの伸び易さと強度とが高いレベルで両立されている。
【０１０６】
凹凸編地領域１１４Ｃの凹凸形状も、凹凸編地領域１１２Ｃの凹凸形状と同様である。
【０１０７】
本実施の形態における凹凸編地領域の凹凸形状は、この具体例には限定されない。
例えば、凹凸編地領域１１２Ｃは、２種の凹部（凹部２０２及び凹部２１０）を複数ずつ有しているが、本実施の形態における凹凸編地領域は、１種の凹部のみを複数有していてもよい。
【０１０８】
凹凸編地領域１１２Ｃ及び凹凸編地領域１１４Ｃは、それぞれ、軸方向の弾性率が、０．１Ｎ／ｍｍ２未満となっている。
凹凸編地領域１１２Ｃ及び凹凸編地領域１１４Ｃは、それぞれ、周方向の弾性率が、０．１Ｎ／ｍｍ２〜０．５Ｎ／ｍｍ２となっている。
従って、関節用サポーター２００によれば、肌ストレスを軽減しつつ、着用ずれを抑制できる。
【０１０９】
また、凹凸編地領域１１２Ｃ及び凹凸編地領域１１４Ｃでは、それぞれ、（軸方向の伸長率）＞（周方向の伸長率）を満たしている。
また、着圧付与領域（この例では中央領域１１０の前面側領域１１０Ａ）及び凹凸編地領域１１２Ｃは、軸方向の伸長率が、（凹凸編地領域１１２Ｃ）＞（着圧付与領域）の関係を満たしている。
また、着圧付与領域（この例では中央領域１１０の前面側領域１１０Ａ）及び凹凸編地領域１１４Ｃは、軸方向の伸長率が、（凹凸編地領域１１４Ｃ）＞（着圧付与領域）の関係を満たしている。
これらの構成により、関節用サポーター２００では、優れた動作追従性が実現されている。
【０１１０】
また、関節用サポーター２００において、一端側口ゴム部１１３及び他端側口ゴム部１１５は、着用時の関節用サポーター２００の着用ずれ及びめくれを防止する機能を有している。
【０１１１】
また、関節用サポーター２００において、一端側口ゴム部１１３、一端側領域１１２、中央領域１１０、他端側領域１１４、及び他端側口ゴム部１１５は、丸編みによって連続的に製造されており、これらの全体の構造がシームレス構造となっている。これにより、着用時のフィット感に特に優れたものとなっている。
但し、本実施の形態の衣類はこの一例に限られず、丸編みと丸編み以外の組織とを縫い合わせて併用して編成されていてもよい。
【０１１２】
関節用サポーター２００では、中央領域１１０の平均着圧ＸＡと一端側領域１１２及び他端側領域１１４の平均着圧ＸＢとが、着圧差〔ＸＡ−ＸＢ〕＞０ｋＰａの関係を満たしている。
更に、関節用サポーター２００では、中央領域１１０の平均着圧ＸＡと一端側領域１１２の平均着圧ＸＢ１とが、着圧差〔ＸＡ−ＸＢ１〕＞０ｋＰａの関係を満たしている。
更に、関節用サポーター２００では、中央領域１１０の平均着圧ＸＡと他端側領域１１４の平均着圧ＸＢ２とが、着圧差〔ＸＡ−ＸＢ２〕＞０ｋＰａの関係を満たしている。
着圧差〔ＸＡ−ＸＢ〕、着圧差〔ＸＡ−ＸＢ１〕、着圧差〔ＸＡ−ＸＢ２〕、平均着圧ＸＡ、平均着圧ＸＢ、平均着圧ＸＢ１、及び平均着圧ＸＢ２のそれぞれの好ましい範囲は前述のとおりである。
【０１１３】
関節用サポーター２００では、中央領域１１０の周方向の伸長率が、一端側領域１１２の周方向の伸長率及び他端側領域１１４の周方向の伸長率のいずれよりも小さくなっている。
また、関節用サポーター２００では、中央領域１１０の軸方向の伸長率が、一端側領域１１２の軸方向の伸長率及び他端側領域１１４の軸方向の伸長率のいずれよりも小さくなっている。
【０１１４】
また、関節用サポーター２００において、一端側領域１１２及び他端側領域１１４では、（軸方向の伸長率）＞（周方向の伸長率）、及び、軸方向の伸長率１５０％以上の両方が満たされている。
但し、本実施の形態はこの一例に限られず、一端側領域及び他端側領域のうちの少なくとも一部の領域において、（軸方向の伸長率）＞（周方向の伸長率）、及び、軸方向の伸長率１５０％以上の少なくとも一方が満たされていればよい。
【０１１５】
関節用サポーター２００の編み組織としては、スパイラルタック編み組織、メッシュ編み組織、立体編み組織、トリコット編み組織、平編み組織、ゴム編み組織、レース編み組織、インレイ編み組織、カットボス編み組織、鹿の子編み組織、リブ編み組織、両面編み組織、フロート編み組織、ノンラン編み組織、及び、これらの編み組織を形成する編成方法を２種以上組み合わせて形成される編み組織、等が挙げられる。
平均着圧が高い中央領域１１０の編み組織としては、スパイラルタック編み組織、メッシュ編み組織、トリコット編み組織、平編み組織、ゴム編み組織、インレイ編み組織、カットボス編み組織、鹿の子編み組織、リブ編み組織、両面編み組織、又は、これらの編み組織を形成する編成方法を２種以上組み合わせて形成される編み組織が好ましい。
平均着圧が低い一端側領域１１２及び他端側領域１１４の編み組織としては、スパイラルタック編み組織、メッシュ編み組織、立体編み組織、ハニカムウェーブ編み組織、平編み組織、ゴム編み組織、ノンラン編み組織、レース編み組織、又は、これらの編み組織を形成する編成方法を２種以上組み合わせて形成される編み組織が好ましい。
【０１１６】
一端側口ゴム部１１３及び他端側口ゴム部１１５の編み組織としては、ゴム編み組織又はノンラン編み組織が好ましい。
【０１１７】
関節用サポーター２００の編み組織の表面には、樹脂が付されていてもよい。
樹脂を付する方法としては、スプレー、転写（例えば、熱転写）、樹脂含浸、グラビア印刷、スクリーン捺染、ロータリー捺染、熱圧着や、接着などが挙げられる。樹脂としては、弾性樹脂が好ましい。
【０１１８】
また、関節用サポーター２００は、編み組織以外のその他の組織を含んでいてもよい。
その他の組織としては、ネオプレンゴムを含む組織、ネオプレンゴム積層体を含む組織等が挙げられる。
【０１１９】
関節用サポーター２００の材質、紡糸、及び編み組織については、例えば、特開２０１１−１３０７８４号公報、特開２００７−９３６２号公報、特開２０１０−１３７６５号公報、特開２０００−１１６６９７号公報、特開２００７−５４１２６号公報等に記載の公知の材質、紡糸、及び編み組織を参照してもよい。
【０１２０】
関節用サポーター２００のサイズについては、関節用サポーター２００が着用される関節の種類に応じ、適宜設定される。
例えば、関節用サポーター２００を、膝関節に着用される膝用サポーターとして用いる場合、関節用サポーター２００の大きさの一例及び関節用サポーター２００の伸長率の好ましい態様を、図９及び図１０を参照しながら説明する。
図９は、具体例に係る関節用サポーター２００が脚に着用されていない状態を示す正面図であり、図１０は、具体例に係る関節用サポーター２００が脚に着用されていない状態を示す背面図である。
より詳細には、図９は、具体例に係る関節用サポーター２００の前面側と後面側とを重ねることにより、関節用サポーター２００の形状を略平面形状とした時の正面図（前面側、即ち膝蓋骨側を示す図）であり、図１０は、この時の背面図（後面側、即ち膝窩部側を示す図）である。
【０１２１】
中央領域１１０の軸方向長さＬ１０は、前述のとおり６０ｍｍ〜２００ｍｍが好ましく、８０ｍｍ〜１８０ｍｍがより好ましい。
一端側領域１１２の軸方向長さＬ１２は、前述のとおり３０ｍｍ〜２００ｍｍが好ましく、３０ｍｍ〜１５０ｍｍがより好ましい。
他端側領域１１４の軸方向長さＬ１４は、前述のとおり３０ｍｍ〜２００ｍｍが好ましく、３０ｍｍ〜１５０ｍｍがより好ましい。
一端側口ゴム部１１３の軸方向長さＬ１３は、１０ｍｍ〜８０ｍｍが好ましく、２０ｍｍ〜７０ｍｍがより好ましい。
他端側口ゴム部１１５の軸方向長さＬ１５は、１０ｍｍ〜８０ｍｍが好ましく、１０ｍｍ〜６０ｍｍがより好ましい。
【０１２２】
関節用サポーター２００（全体）の軸方向長さは、１４０ｍｍ〜７６０ｍｍが好ましく、１８０ｍｍ〜６２０ｍｍがより好ましい。
【０１２３】
中央領域１１０の平均周長は、１００ｍｍ〜３００ｍｍが好ましく、１５０ｍｍ〜２８０ｍｍがより好ましい。
一端側領域１１２の平均周長は、１００ｍｍ〜４００ｍｍが好ましく、１５０ｍｍ〜３５０ｍｍがより好ましい。
他端側領域１１４の平均周長は、１００ｍｍ〜３５０ｍｍが好ましく、１００ｍｍ〜３００ｍｍがより好ましい。
一端側口ゴム部１１３の平均周長は、１８０ｍｍ〜３５０ｍｍが好ましく、２００ｍｍ〜３２０ｍｍがより好ましい。
他端側口ゴム部１１５の平均周長は、１００ｍｍ〜３５０ｍｍが好ましく、１２０ｍｍ〜３００ｍｍがより好ましい。
ここで、軸方向長さおよび平均周長は、下記式で表される値である。
軸方向長さ  ＝  （（軸方向の最大長さ）＋（軸方向の最小長さ））／２
平均周長    ＝  （（最大周長）＋（最小周長））／２
【０１２４】
また、一端側領域１１２及び他端側領域１１４において、（軸方向の伸長率）＞（周方向の伸長率）の関係、及び、軸方向の伸長率１５０％以上の少なくとも一方を満たす領域は、中央領域１１０の膝窩部の中心に相当する位置Ｙ（図１０中の位置Ｙ）から軸方向に延ばした延長線３０を中心として、幅１００ｍｍの範囲（図１０中の範囲Ｙ１及び範囲Ｙ２）を少なくとも含むことが好ましい。特に好ましくは、一端側領域１１２及び他端側領域１１４の全体が、（軸方向の伸長率）＞（周方向の伸長率）の関係、及び、軸方向の伸長率１５０％以上の少なくとも一方を満たすことである。
【０１２５】
また、関節用サポーター２００は、中央領域１１０の前面側領域１１０Ａ（着圧付与領域）の中心ＸＸを中心とする測定範囲ＸＸ１（測定範囲ＸＸ１は不図示）、中央領域１１０の後面側領域１１０Ｂの中心ＸＹから軸方向に延ばした延長線上であって一端側領域１１２における軸方向の中心である位置ＸＴを中心とする測定範囲ＸＴ１（測定範囲ＸＴ１は不図示）、及び中央領域１１０の後面側領域１１０Ｂの中心ＸＹから軸方向に延ばした延長線上であって他端側領域１１４の後面側領域１１４Ｂの中心ＸＳを中心とする測定範囲ＸＳ１（測定範囲ＸＳ１は不図示）の各々について、つかみ幅１５ｍｍ、つかみ間隔１５ｍｍ、及び引張荷重２０Ｎの条件の引張試験によって周方向の伸長率を測定したときに、測定範囲ＸＸ１の周方向の伸長率が、測定範囲ＸＴ１の周方向の伸長率及び測定範囲ＸＳ１の周方向の伸長率のいずれよりも低くなっている。
【０１２６】
また、関節用サポーター２００は、測定位置ＸＸ１、測定位置ＸＴ１、及び測定位置ＸＳ１について、上記条件の引張試験によって軸方向の伸長率を測定したときに、測定範囲ＸＸ１の軸方向の伸長率が、測定範囲ＸＴ１の軸方向の伸長率及び測定範囲ＸＳ１の軸方向の伸長率のいずれよりも低くなっている。
【０１２７】
また、中央領域１１０の伸び率を測定できる場合、関節用サポーター２００では、中央領域１１０を、着圧付与領域の中心ＸＸと中央領域１１０の後面側領域１１０Ｂの中心ＸＹとの距離が長くなる方向に５ｋｇの力で伸ばした場合に、中央領域１１０の伸び率が１８０％〜２８０％となっている。
【０１２８】
図１に示すように、関節用サポーター２００には、開口部としてのスリット孔２０が貫通形成されている。
スリット孔２０の形状（開口形状）は、任意で良いが、関節用サポーター２００には、一例として、スリット孔２０が長円状に形成されている。スリット孔２０は、長軸方向が関節用サポーター２００の周方向にされて、中心が中央領域１１０の中心ＸＸに重ねる位置にされている。
【０１２９】
関節用サポーター２００には、中央領域１１０の中心ＸＸにスリット孔２０が設けられているが、スリット孔２０は、中央領域１１０において、中心ＸＸよりも上側（一端側領域１１２側であっても良い。また、スリット孔２０は、中央領域１１０の中心ＸＸの位置及び中心ＸＸよりも上方側の位置の各々に設けても良く、中央領域１１０の中心ＸＸを挟んで上下に設けられても良い。
また、スリット孔２０は、長軸が関節用サポーター２００の軸方向ではなく、周方向にされて設けられても良く、長軸が関節用サポーター２００の軸方向にされて、関節用サポーター２００の中心ＸＸを挟んで中心ＸＸの周方向側に設けられても良い。
【０１３０】
さらに、スリット孔２０は、長軸が関節用サポーター２００の軸方向にされたものと周方向にされたものとが設けられていても良い。
また、スリット孔２０は、中央領域１１０の前面側領域１１０Ａに限らず、中央領域１１０の前面側領域１１０Ａと一端側領域１１２の前面側領域１１２Ａとに跨って設けてられても良く、スリット孔２０は、一端側領域１１２の前面側領域１１２Ａに設けられても良い。
【０１３１】
関節用サポーター２００では、スリット孔２０が設けられることで、関節の曲げ伸ばし動作に対する追従性が向上される。
また、関節用サポーター２００では、長軸が関節用サポーター２００の周方向又は軸方向にされたスリット孔２０が設けられることで、関節の曲げ伸ばし動作に対する追従性がより向上される。
【０１３２】
関節用サポーター２００において、スリット孔２０を一つ又は複数設ける場合、中央領域１１０の前面側領域１１０Ａの中心ＸＸを通り関節用サポーター２００の軸方向に延びる延長線３０（図１では、図示省略）に対して、線対称になるように設けられても良い。スリット孔２０が線対称にされることで、関節用サポーター２００が軸方向及び周方向に伸長される場合の何れにおいても、関節の曲げ伸ばし動作に対する追従性が向上されて、関節用サポーター２００の動作容易性に優れたものにできる。
【０１３３】
以上、本実施の形態の衣類の具体例である関節用サポーター２００について説明したが、本実施の形態の衣類はこの具体例に限定されることはない。
【０１３４】
図５は、本実施の形態の衣類の別の具体例である関節用サポーター２０３を概念的に示す背面図である。なお、図５においては、開口部としてのスリット孔の図示を省略している。
図５に示すように、関節用サポーター２０３において、一端側領域１１２の後面側領域１１２Ｂは、凹凸編地領域１１２Ｄを含み、凹凸編地領域１１２Ｄの周方向長さが、一端側領域１１２の全周長さの約１／６の長さ（即ち、一端側領域１１２の後面側領域１１２Ｂの周方向長さの約１／３の長さ）となっている。
また、関節用サポーター２０３において、他端側領域１１４の後面側領域１１４Ｂには、凹凸編地領域が含まれない。
これらの点を除き、関節用サポーター２０３の構成は、関節用サポーター２００の構成と同様である。
図５（関節用サポーター２０３）に示したように、凹凸編地領域は、必ずしも、一端側領域の後面側領域及び他端側領域の後面側領域の両方に含まれている必要はなく、着圧付与領域以外の領域の一部に含まれていればよい。肌ストレス低減の観点からみた好ましい態様は、凹凸編地領域が一端側領域の後面側領域及び他端側領域の後面側領域の少なくとも一方に含まれる態様であり、更に好ましい態様は、凹凸編地領域の周方向長さが、全周長さの１／６以上の長さである態様（例えば、関節用サポーター２００及び関節用サポーター２０３）である。
また、関節用サポーター２０３は、スリット孔２０と同様のスリット孔を設けることで、関節の曲げ伸ばし動作追従性に優れる。
【０１３５】
図６は、本実施の形態の衣類の更に別の具体例である関節用サポーター２０４を概念的に示す背面図である。
図６に示すように、関節用サポーター２０４は、一端側口ゴム部１１３を身体の一部に固定するための固定ベルト１２０を備えている。この固定ベルト１２０の一端部は、一端側口ゴム部１１３の背面側の表面（身体との対向面に対して反対側の面）の一部に接続されている。固定ベルト１２０は、面ファスナー（不図示）を備えており、これにより、固定ベルト１２０の少なくとも他端部を、一端側口ゴム部１１３の背面側の表面の一部に着脱可能に固定できるようになっている。
関節用サポーター２０４を使用する際は、例えば、まず、関節用サポーター２０４を、関節部位を含む身体の一部に着用し、次いで一端側口ゴム部１１３の上から固定ベルト１２０を巻き付け、次いで固定ベルト１２０の少なくとも他端側を、一端側口ゴム部１１３の背面側の表面の一部に着脱可能に固定する。これにより、関節用サポーター２０４の着用ずれをより効果的に抑制できる。また、関節用サポーター２０４は、スリット孔２０と同様のスリット孔を設けることで、関節の曲げ伸ばし動作追従性に優れる。
【０１３６】
なお、関節用サポーター２０４では、一端側口ゴム部１１３の背面側の表面の一部に、固定ベルト１２０の一端部が接続されているが、固定ベルト１２０の一端部は、一端側口ゴム部１１３の前面側に固定されていてもよい。
また、関節用サポーター２０４の固定ベルト１２０は面ファスナーを備えた例であるが、面ファスナー以外にも、バックル、サイドリリースバックル、ワイヤアジャスタ等を用いることもできる。
【０１３７】
また、本実施の形態の衣類の具体例としては、サポーター部としてスリット孔２０（開口部）を有する上記関節用サポーター２００（関節用サポーター２０３、２０４を含む）を組み込んだ衣類（スパッツ、タイツ（例えば、スポーツタイツ、コンプレッションタイツ、医療用タイツ）、ガードル、パンティーストッキング、レギンス、トレンカ、レッグウォーマー等のボトム（例えば、スポーツ用又はインナー用等のボトム）；肌着、シャツ、コンプレッションシャツ等のトップ；ソックス；手袋；指サック；包帯；など）も挙げられる。
【０１３８】
以下、試験例により、本実施形態をより具体的に説明するが、本実施形態は以下の試験例に限定されるものではない。
【実施例】
【０１３９】
次に、本実施の形態の衣類に設けられる関節用サポーター部の実施例を説明する。
本実施例では、膝関節に着用される関節用サポーター（膝用サポーター）を例に、複数のサンプルを検討し、そのうちのいくつかのサンプついて試験を実施した。
実施した試験結果を試験例として以下に説明する。
【０１４０】
−サンプルの詳細−
検討したサンプルＡ〜Ｎについて表１及び表２を参照して説明する。
表１には、検討したサンプルＡ〜Ｇの各々について、概略形状を示すイメージ図、開口部としてのスリット孔の数、スリット孔を設けた凡その位置、及びスリット孔の向きを示すと共に、サンプルＡ〜Ｇの各部位について、置き寸を示している。
表２には、検討したサンプルＨ〜Ｌ、及びサンプルＮの各々について、概略形状を示すイメージ図、開口部としてのスリット孔の数、スリット孔を設けた凡その位置、及びスリット孔の向きを示すと共に、サンプルＡ〜Ｌの各部位について、置き寸（非伸長時のサイズ）を示している。サンプルＭは、市販品の膝用サポーターを用いた比較サンプルであり、ピップ（株）製の「プロ・フィッツ（登録商標）ひざ用」（Ｍサイズ）である。
【０１４１】
サンプルＡ〜Ｌ、及びサンプルＮの基本的構成は、上記関節用サポーター２００と同様にしており、以下の説明では、関節用サポーター２００における中央領域１１０、一端側領域１１２、他端側領域１１４、一端側口ゴム部１１３、及び他端側口ゴム部１１５の各々を、膝サポート部、太腿サポート部、脛サポート部、上部口ゴム、及び下部口ゴムとして具体的に表記する。
【０１４２】
サンプルＡ〜サンプルＬにおいて、太腿口ゴム、太腿サポート部、膝サポート部、脛サポート部、及び脛口ゴムは、丸編みによって連続的に製造した。この際、膝サポート部の編み組織は、低伸長性のメッシュ編み組織を主体とし、太腿サポート部及び脛側サポート部の編み組織は、いずれも中伸長性のメッシュ編み組織を主体とした。太腿口ゴム及び脛口ゴムの編み組織は、いずれもノンラン編み組織とした。
【０１４３】
太腿サポート部において、一端側領域１１２の後面側領域１１２Ｂに対応する裏側のほぼ全面が凹凸編地領域となるようにし、前面側領域１１２Ａに対応する太腿サポート部の前側は、太腿サポート部の裏側の凹凸編地領域よりも軸方向の弾性率が高くなるようにした。同様に、脛サポート部において、他端側領域１１４の後面側領域１１４Ｂに対応する裏側のほぼ全面が凹凸編地領域となるようにし、他端側領域１１４の前面側領域１１４Ａに対応する脛サポート部の前側は、裏側の凹凸編地領域よりも軸方向の弾性率が高くなるようにした。ここで、膝関節を屈曲させた時の外側に位置するほぼ半周分を前面側とし、残りのほぼ半周分を後面側とし、表１及び表２のイメージ図は、前面視である。また、サンプルＡ〜サンプルＬにおいては、太腿サポート部の裏側の凹凸編地領域及び脛サポート部の裏側の凹凸編地領域の面積はほぼ同一とした。
また、太腿サポート部及び脛サポート部の裏側の凹凸編地領域における凹部は、いずれもフロート編みによって周方向の編目を１目以上飛ばし、タック編みを組み合わせて編むことにより形成した編み組織である。また、膝サポート部の前側（即ち、着圧付与領域）及び膝サポート部の裏側は、フロート編みおよびタック編みの編成を変化させることによって編み分けた。
【０１４４】
また、サンプルＡ〜サンプルＬには、開口部としてのスリット孔（スリット孔２０に対応する）を設けており、サンプルＮでは、開口部を設けることを検討した。サンプルＡ〜Ｌ、Ｎでは、開口部の数、位置、向き及び大きさの何れか少なくとも一つを異ならせている。
開口部の位置としては、膝部分を「膝中央」として、膝中央より上側（太腿サポート部及び膝サポート部の太腿サポート部側）を「上部」とし、膝中央より下側（脛サポート部及び膝サポート部の脛サポート部側）を「下部」としている。また、開口部の向きは、開口部の長手方向が関節用サポーターの周方向の場合に「横」とし、開口部の長手方向が関節用サポーターの軸方向の場合に「縦」としている。
また、開口部の置き寸は、非伸長時の軸方向及び周方向に対応する寸法を示している。置き寸の測定は、上述した。なお、サンプルＭについては、置き寸の記載を省略しており、サンプルＮは、開口部の数の検討までとなっている。また、表１及び表２において、「−」は、測定を実施する対象がないか測定を省略していることを示し、市販品のサンプルＭについては、イメージ図を省略して空欄にしている。
【０１４５】
【表１】
2018172825.tif 000003
【０１４６】
【表２】
2018172825.tif 000004
【０１４７】
表１に示すように、サンプルＡ、Ｂには、膝中央に横向きの開口部を設け、開口部の置き寸は、サンプルＡが横（周方向）５．９ｃｍ、縦（軸方向）０．０ｃｍ、サンプルＢが横（周方向）０．３ｃｍ、縦（軸方向）０．６ｃｍとしている。サンプルＣには、膝中央に縦向き開口部を設け、開口部の置き寸は、横（周方向）０．０ｃｍ、縦（軸方向）２．０ｃｍである。
また、サンプルＤには、膝中央に横向きで上下に二つの開口部を設け、上側の開口部の置き寸が、横２．７ｃｍ、縦０．０ｃｍ、下側の開口部の置き寸が、横２．９ｃｍ、縦０．０ｃｍである。サンプルＥには、膝中央に縦向きで左右に二つの開口部を設け、左側の開口部の置き寸が、横０．０ｃｍ、縦２．３ｃｍ、右側の開口部の置き寸が、横０．０ｃｍ、縦２．２ｃｍである。
【０１４８】
サンプルＦには、膝中央に縦向きで左右に二つの開口部を設けると共に、二つの開口部の上側に横向きの開口部を設け、上側の開口部の置き寸が、横３．２ｃｍ、縦０．０ｃｍ、左側の開口部の置き寸が、横０．０ｃｍ、縦１．０ｃｍ、右側の開口部の置き寸が、横０．０ｃｍ、縦１．３ｃｍである。
サンプルＧには、膝中央に横向きの開口部を設ける共に、上部（膝サポート部の太腿サポート部側）に横向きの開口部を設け上側の開口部の置き寸が、横３．０ｃｍ、縦０．０ｃｍ、下側（膝中央）の開口部の置き寸が、横２．９ｃｍ、縦０．０ｃｍである。
【０１４９】
また、表２に示すように、サンプルＨ、Ｉ、Ｋには、上部に横向きの開口部を設けており、開口部の位置は、サンプルＨが膝サポート部の太腿サポート部側、サンプルＩが膝サポート部と太腿サポート部の境界部分、サンプルＫが太腿サポート部である。また、サンプルＨの開口部は、横２．８ｃｍ、縦０．０ｃｍ、サンプルＩの開口部は、横３．３ｃｍ、縦０．７ｃｍ、サンプルＫの開口部は、横２．７ｃｍ、縦０．０ｃｍである。
サンプルＪには、上部に縦向きの開口部を設け、開口部は、膝サポート部と太腿サポート部とに跨って設けられており、置き寸が、横０．０、縦２．１ｃｍである。
としている。サンプルＣには、膝中央に縦向き開口部を設け、開口部の置き寸は、横（周方向）０．０ｃｍ、縦（軸方向）２．０ｃｍである。
【０１５０】
さらに、サンプルＬには、膝中央に横向きで上下に二つの開口部を設けると共に、二つの開口部の上側に横向きの開口部を設けており、上部の開口部は、膝サポート部の太腿サポート部側となっている。また、開口部の置き寸は、上部が横２．８ｃｍ、縦０．０ｃｍ、中央が横２．８ｃｍ、縦０．０ｃｍ、下側が横２．４ｃｍ、縦０．０である。
なお、サンプルＭは、膝中央に縦向きで一つの開口部を有するものであり、サンプルＮは、膝中央に横向きで３つの開口部が周方向に並んで設けられると共に、上部（膝サポート部の太腿サポート部側）に横向きで２つの開口部が周方向に並んで設けるものとして検討した。
【０１５１】
−試験の詳細−
次に、サンプルＡ〜Ｍの各々について、着圧差（着圧差〔ＸＡ−ＸＢ〕、着圧差〔ＸＡ−ＸＢ１〕、及び着圧差〔ＸＡ−ＸＢ２〕を測定した。
また、サンプルＡ、Ｂ、Ｄ、Ｇ〜Ｉ、Ｋ、Ｌについて、各部の伸長率及び伸び率の測定を行った。なお、サンプルＡ、Ｄ、Ｇ、Ｈ、Ｋ、Ｌについては、各々１つのサンプルを測定に用い、サンプルＢ、Ｉについては、各々２つのサンプルを測定に用いた。
さらに、サンプルＡ〜Ｍの各々について、サポート感、フィット感、作追従性、関節の曲げ伸ばし易さ、着脱しやすさと、の関係に関する評価を行った。
【０１５２】
−平均着圧ＸＡ、着圧差〔ＸＡ−ＸＢ〕、着圧差〔ＸＡ−ＸＢ１〕、及び着圧差〔ＸＡ−ＸＢ２〕の測定−
各サンプルについて「平均着圧ＸＡ、平均着圧ＸＢ、平均着圧ＸＢ１、及び平均着圧ＸＢ２の測定方法」に従い、平均着圧ＸＡ、平均着圧ＸＢ、平均着圧ＸＢ１、及び平均着圧ＸＢ２を測定した。
【０１５３】
着圧の測定は、マネキンＭ１の脚の１０か所（位置ＸＰ１〜ＸＰ１０）に、着圧測定用のセンサーを取り付ける。
図１１及び図１２は、マネキンＭ１に対するセンサー取り付け位置を示す写真である。
図１０は、マネキンＭ１の脚（左脚）を正面（膝の側）から撮影した写真であり、図１１は、脚の斜め後ろ側から撮影した写真である。
【０１５４】
・位置ＸＰ１〜ＸＰ１０は、詳細には、以下の位置である。
・位置ＸＰ１  …  位置ＸＰ２を基準とし太腿側７０ｍｍの位置（即ち、位置ＸＰ３を基準とし太腿側１００ｍｍの位置）
・位置ＸＰ２  …  位置ＸＰ３を基準とし太腿側３０ｍｍの位置
・位置ＸＰ３  …  膝（膝蓋骨）の中心
・位置ＸＰ４  …  位置ＸＰ３を基準とし脛側３０ｍｍの位置
・位置ＸＰ５  …  位置ＸＰ４を基準とし脛側７０ｍｍの位置（即ち、位置ＸＰ３を基準とし脛側１００ｍｍの位置）
・位置ＸＰ６、ＸＰ１０  …  それぞれ、位置ＸＰ２から位置ＸＰ４までの範囲内における脚の横側
・位置ＸＰ７  …  位置ＸＰ１に対する脚の裏側
・位置ＸＰ８  …  位置ＸＰ２から位置ＸＰ４までの範囲内における膝窩部側
・位置ＸＰ９  …  位置ＸＰ５に対する脚の裏側
【０１５５】
マネキンＭ１としては、
位置ＸＰ１の周囲長が４０５ｍｍであり、
位置ＸＰ２の周囲長が３７０ｍｍであり、
位置ＸＰ３の周囲長が３６０ｍｍであり、
位置ＸＰ４の周囲長が３４６ｍｍであり、
位置ＸＰ５の周囲長が３６７ｍｍであるＦＲＰ（Fiber Reinforced Plastics）製のマネキン（例えば、（株）七彩製、製品名「ＭＤ−２０Ａ」）を用いる。
【０１５６】
マネキンＭ１の脚の膝を含む部分に本実施の形態の関節用サポーターを、中央領域１１０（膝サポート部）が位置ＸＰ２、ＸＰ３、ＸＰ４、ＸＰ６、ＸＰ８、及びＸＰ１０を覆い、一端側領域１１２（太腿側サポート部）が位置ＸＰ１及びＸＰ７を覆い、他端側領域１１４（脛側サポート部）が位置ＸＰ５及びＸＰ９を覆うように着用する。
次に、位置ＸＰ１〜ＸＰ１０の着圧を、各位置に取り付けられた着圧測定用のセンサーによって測定する。
位置ＸＰ１、ＸＰ５、ＸＰ７、及びＸＰ９の各測定値の平均値を求め、得られた平均値を平均着圧ＸＢとする。
位置ＸＰ１及びＸＰ７の各測定値の平均値を求め、得られた平均値を平均着圧ＸＢ１とする。
位置ＸＰ５及びＸＰ９の各測定値の平均値を求め、得られた平均値を平均着圧ＸＢ２とする。
位置ＸＰ２、ＸＰ３、ＸＰ４、ＸＰ６、ＸＰ８、及びＸＰ１０の各測定値の平均値を求め、得られた平均値を平均着圧ＸＡとする。
マネキンＭ１としては、２０代男性標準寸法マネキン（（株）七彩製、製品名「ＭＤ−２０Ａ」）を用いた。マネキンＭＤ−２０Ａのサイズは、マネキンＭ１のサイズとして既に示したとおりである。
着圧測定装置としては、着圧測定用のセンサーを備えた（株）エイエムアイ・テクノ製の接触圧測定器「ＡＭＩ３０３７−１０」を用いた。
【０１５７】
マネキンＭ１の位置ＸＰ１〜ＸＰ１０に対するセンサーの貼り付けは、それぞれ、既定の取り扱い方法（「衣服圧・体圧などの接触圧測定器／接触圧・血流測定システム  株式会社エイエムアイ・テクノ」、[online]、株式会社エイエムアイ・テクノ、［平成２７年３月２０日検索］、インターネット＜http://www.ami-tec.co.jp/＞）に準拠して行った。
具体的には、「ＡＭＩ３０３７−１０」専用のカバーテープ「ＳＢ−ＰＴＢ」を用いて上記位置ＸＰ１〜ＸＰ１０にセンサーを貼り付けた。次いで、センサー厚みが０．５ｍｍとなるように装置付属のシリンジを用いて空気を挿入した。
なお、センサーは、「ＡＭＩ３０３７−１０」においては、「エアパック」と称されている。
【０１５８】
位置ＸＰ１〜ＸＰ１０が取り付けられたマネキンＭ１の脚に、サンプルをまっすぐに引き上げて着用した。この時、サンプルの中央領域１１０における膝蓋骨の中心に相当する位置ＸがマネキンＭ１の位置ＸＰ３に重なるようにし、かつ、位置ＸＰ１〜ＸＰ１０のセンサー全てがサンプルで隠れるようにした。この着用状態を、初期位置とした。
【０１５９】
次に、初期位置のサンプルに対し、サンプルの膝側部分を基準としてサンプルの太腿側部分が上から見て（即ち、脚の付け根側から脛側に向かって見て。以下同じ。）右回りに捻られる内反歪みを付与した。この時、付与する内反歪みの量は、サンプルが全てのセンサーを覆う状態を維持でき、かつ、サンプルから手を離した状態でサンプルが動かない状態を維持できる最大の量とした。サンプルに対して上記内反歪みが付与された着用状態を、５０秒〜６０秒維持した。
次に、サンプルを初期位置に戻し、５０秒〜６０秒維持した。
次に、初期位置のサンプルに対し、サンプルの膝側部分を基準としてサンプルの太腿側部分が上から見て左回りに捻られる外反歪みを付与した。この時、付与する外反歪みの量は、サンプルが全てのセンサーを覆う状態を維持でき、かつ、サンプルから手を離した状態でサンプルが動かない状態を維持できる最大の量とした。サンプルに対して上記外反歪みが付与された着用状態を、５０秒〜６０秒維持した。
【０１６０】
次に、サンプルを初期位置に戻し、５０秒〜６０秒維持した。
次に、サンプルを上下方向に伸長することにより伸長歪みを付与した。付与する伸長歪みの量は、サンプルから手を離した状態でサンプルが動かない状態を維持できる最大の量とした。サンプルに対して上記伸長歪みが付与された着用状態を、５０秒〜６０秒維持した。
次に、サンプルを初期位置に戻し、５０秒〜６０秒維持した。
【０１６１】
次に、位置ＸＰ１〜ＸＰ１０の着圧を、「ＡＭＩ３０３７−１０」によって測定した。
位置ＸＰ１、ＸＰ５、ＸＰ７、及びＸＰ９の各測定値の平均値を求め、得られた平均値を平均着圧ＸＢとした。
位置ＸＰ１及びＸＰ７の各測定値の平均値を求め、得られた平均値を平均着圧ＸＢ１とした。
位置ＸＰ５及びＸＰ９の各測定値の平均値を求め、得られた平均値を平均着圧ＸＢ２とした。
位置ＸＰ２、ＸＰ３、ＸＰ４、ＸＰ６、ＸＰ８、及びＸＰ１０の各測定値の平均値を求め、得られた平均値を平均着圧ＸＡ（ｋＰａ）とした。
更に、平均着圧ＸＡから平均着圧ＸＢを差し引くことで、着圧差〔ＸＡ−ＸＢ〕（ｋＰａ）を求めた。
更に、平均着圧ＸＡから平均着圧ＸＢ１を差し引くことで、着圧差〔ＸＡ−ＸＢ１〕（ｋＰａ）を求めた。
更に、平均着圧ＸＡから平均着圧ＸＢ２を差し引くことで、着圧差〔ＸＡ−ＸＢ２〕（ｋＰａ）を求めた。
平均着圧ＸＡ、着圧差〔ＸＡ−ＸＢ〕、着圧差〔ＸＡ−ＸＢ１〕、及び着圧差〔ＸＡ−ＸＢ２〕を、下記表３及び表４に示す。なお、表３には、サンプルＡ〜サンプルＧを示し、表４には、サンプルＨ〜Ｍを示す。但し、言うまでもないが、センサーの位置に開口部があるサンプルについては、開口部位置のセンサーの測定値は、平均着圧ＸＡの算出には用いなかった。
【０１６２】
−伸長率（％）の測定−
サンプルにおける、中央領域１１０における膝蓋骨の中心に相当する位置ＸＸを中心とする測定範囲Ｘ１、膝窩部の中心に相当する位置Ｙから軸方向に延ばした延長線３０上であって一端側領域１１２における軸方向の中心である位置Ｔを中心とする測定範囲Ｔ１、及び膝窩部の中心に相当する位置Ｙから軸方向に延ばした延長線３０上であって他端側領域１１４（脛サポート部）における軸方向の中心である位置Ｓを中心とする測定範囲Ｓ１の各々について、軸方向の伸長率（％）及び周方向の伸長率（％）を測定した。
伸長率（％）の測定方法の詳細は前述のとおりである。
各サンプルの伸長率を表３及び表４に示す。
【０１６３】
−凹凸編地領域の軸方向弾性率及び周方向弾性率の測定−
凹凸編地領域の軸方向弾性率の測定は、上述の測定法により測定した。
凹凸編地領域の軸方向弾性率は、太腿サポート部（一端側）の凹凸編地領域の軸方向弾性率と脛サポート部（他端側）の凹凸編地領域の軸方向弾性率との平均値とした。
凹凸編地領域の周方向弾性率の測定は、サンプルの凹凸編地領域を、周方向伸長率２００％にて伸長させた時の周方向弾性率を測定した。
凹凸編地領域の周方向弾性率は、太腿サポート部の凹凸編地領域の周方向弾性率と脛サポート部の凹凸編地領域の周方向の弾性率との平均値とした。
【０１６４】
上述した凹凸編地領域の周方向弾性率の測定において、サポーター部に単一の凹凸編地を含む凹凸編地領域が用いられる場合には、この凹凸編地領域における周方向弾性率を、凹凸編地領域の周方向弾性率とする。
また、サポーター部に編成の異なる凹凸編地を含む２種以上の凹凸編地領域が用いられる場合には、各領域における周方向弾性率を求め、それらの面積平均値を、凹凸編地領域の周方向弾性率とする。
また、一端側と凹凸編地領域の周方向弾性率と他端側の凹凸編地領域の周方向弾性率との平均値を算出する際、各領域の面積が異なる場合には、それらの面積を考慮して算出する。
各サンプルの凹凸編地領域の軸方向の弾性率及び周方向の弾性率を表３及び表４に示す。
【０１６５】
−伸び率の測定−
伸び率は、中央領域１１０の位置Ｘと位置Ｙとの間の置き寸Ｌ１０１を測定する。また、中央領域１１０を、位置Ｘと位置Ｙとの距離が離れる方向に５ｋｇの力で内部から押し伸ばす。押し伸ばされた状態の位置Ｘと位置Ｙとの距離を測定し、伸び寸Ｌ１０２として置き寸Ｌ１０１及び伸び寸Ｌ１０２を用いて算出した。
各サンプルの伸び率を表３及び表４に示す。
【０１６６】
−サポート感、フィット感、及び動作追従性の評価−
成人男性２名及び成人女性１名の計３名の被験者を対象として、各サンプルを着用してもらい、サポート感、フィット感、動作追従性、膝関節の曲げ伸ばし易さ（屈伸容易性）、及び着脱し易さ（着脱容易性）に関する官能評価を行った。
詳細には、各被験者に対し、サポート感、フィット感、膝の曲げ伸ばし動作に対する追従性（動作追従性）、膝関節の曲げ伸ばし易さ（屈伸容易性）、及び着脱し易さ（着脱容易性）に関するヒヤリングを行った。
ヒヤリング結果に基づき、以下の採点方法に従って採点を行った。
【０１６７】
−−サポート感の採点方法−−
５点  …  サポート感を顕著に感じた。
４点  …  サポート感を比較的感じた。
３点  …  サポート感があるともないとも言えない。
２点  …  サポート感をあまり感じなかった。
１点  …  サポート感を全く感じなかった。
【０１６８】
−−フィット感−−
５点  …  フィット感を顕著に感じた。
４点  …  フィット感を比較的感じた。
３点  …  フィット感があるともないとも言えない。
２点  …  フィット感をあまり感じなかった。
１点  …  フィット感を全く感じなかった。
【０１６９】
−−動作追従性−−
５点  …  動作追従性が良好であった。
４点  …  動作追従性が比較的あった。
３点  …  動作追従性があるともないとも言えない。
２点  …  動作追従性をあまり感じなかった。
１点  …  動作追従性を全く感じなかった。
【０１７０】
−−膝関節の曲げ伸ばしのし易さ−−
５点  …  膝関節の曲げ伸ばしのし易さを顕著に感じた。
４点  …  膝関節の曲げ伸ばしのし易さを比較的感じた。
３点  …  膝関節の曲げ伸ばしのし易さがあるともないとも言えない。
２点  …  膝関節の曲げ伸ばしのし易さをあまり感じなかった。
１点  …  膝関節の曲げ伸ばしのし易さを全く感じなかった。
【０１７１】
−−着脱容易性−−
５点  …  着脱が容易であった。
４点  …  着脱が比較的容易であった動作追従性が比較的あった。
３点  …  着脱が容易であるともないとも言えない。
２点  …  着脱が容易とはあまり感じなかった。
１点  …  着脱が容易でなかった。
【０１７２】
次に、サポート感、フィット感、動作追従性、膝関節の曲げ伸ばし易さ、及び着脱し易さのそれぞれについて、被験者３名の合計点を算出し、それぞれ、サポート感合計点、フィット感合計点、動作追従性合計点、膝関節の曲げ伸ばし易さ合計点、及び着脱し易さ合計点とした。
更に、サポート感合計点、フィット感合計点、動作追従性合計点、膝関節の曲げ伸ばし易さ合計点、及び着脱し易さ合計点を評価した。
サンプルＡ〜Ｇについて、上述の測定結果と共に評価結果を表３に示す。また、サンプルＨ〜Ｌ、及びサンプルＭについて、上述の測定結果と共に評価結果を表４に示す。なお、表３及び表４において、「Ｎ．Ｄ．」は、サンプルの構成上の理由で測定を実施できないために評価結果無し（No Data）であることを意味する。また、表３及び表４において、「−」は、試験（測定）を実施していないことを示す。
【０１７３】
【表３】
2018172825.tif 000005
【０１７４】
【表４】
2018172825.tif 000006
【０１７５】
試験結果の評価
表３及び表４に示すように、サンプルＡ〜サンプルＬは、何れも着圧付与領域を含む膝サポート部の前側の平均着圧が、一端側領域（太腿サポート部）及び他端側領域（脛サポート部）の平均着圧よりも高いことが確認された。これに対して、サンプルＭでは、膝サポート部の平均着圧が、太腿サポート部及び脛サポート部の平均着圧よりも低くなっている。即ち、サンプルＡ〜Ｌは、（平均着圧ＸＡ）＞（平均着圧ＸＢ）の関係を満たしている。
従って、サンプルＡ〜Ｌは、関節に着用させた場合に、サポート感及びフィット感に優れる。また、サンプルＡ〜Ｌは、凹凸編地領域を含むことから、肌ストレス軽減の効果に優れると想到される。
【０１７６】
また、サンプルＭは、平均着圧ＸＡが２．６ｋＰａ以下であるに対して、サンプルＡ〜Ｌは、何れも平均着圧ＸＡが２．６ｋＰａ以上となっている。従って、サンプルＡ〜Ｌは、サポート感及び快適性をより向上できる。
また、サンプルＡ〜Ｄ、Ｇ〜Ｌは、着圧差〔ＸＡ−ＸＢ〕≧０．８ｋＰａの関係を満たしており、サンプルＡ〜Ｄ、Ｇ〜Ｌサポート感及びフィット感をより一層向上できる。
【０１７７】
また、サンプルＡ、Ｄ、Ｇ、Ｈ、Ｋ、Ｌは、凹凸編地領域を含む膝サポート部の軸方向及び周方向のうちの一方向の弾性率が０．１Ｎ／ｍｍ２未満であり、軸方向及び周方向のうちの他方向の弾性率が、０．１Ｎ／ｍｍ２〜０．５Ｎ／ｍｍ２である。従って、サンプルＡ、Ｄ、Ｇ、Ｈ、Ｋ、Ｌでは、フィット感がより向上する。また、上記他方向の弾性率が０．１Ｎ／ｍｍ２以上であると、サポーター部の着用ずれを抑制できる。さらに、上記他方向の弾性率が０．５Ｎ／ｍｍ２以下であると、肌ストレスをより軽減できる。
【０１７８】
サンプルＡ、Ｂ、Ｄ、Ｇ、Ｌは、膝サポート部の中央部分（膝中央）に開口部を有することで、膝サポート部の前側の伸長率の測定が不能となっているが、サンプルＨ、Ｉ、Ｋでは、（周方向の伸長率）＞（軸方向の伸長率）の関係を満たす。従って、少なくともサンプルＨ、Ｉ、Ｋは、膝（膝関節）の屈伸動作追従性に優れると想到される。
【０１７９】
一方、サンプルＡ〜Ｈ、Ｌには、膝サポート部の前側に開口部が設けられ、サンプルＫには、太腿サポート部に開口部が設けられえいる。また、サンプルＩ、Ｊには、膝サポート部と太腿サポート部とに跨って開口部が設けられている。即ち、サンプルＡ〜Ｌは、着圧付与領域の前面側領域、一端側領域の前面側領域及び他端側領域の前面側領域の少なくとも一領域に少なくとも１つの開口部を有している。
また、サンプルＤ〜Ｇ、Ｌには、開口部が複数設けられている。
【０１８０】
従って、サンプルＡ〜Ｌは、膝関節の曲げ伸ばし動作において、サポーター部の追従性が向上されていると想到できる。
即ち、表３及び表４の評価結果に示されるように、サンプルＡ〜Ｌは、サポート感及びフィット感に優れると共に、関節の曲げ伸ばし動作追従性に優れ、関節の曲げ伸ばし動作容易性に優れることが判る。
【符号の説明】
【０１８１】
２０    スリット孔（開口部）
２００、２０３、２０４    関節用サポーター（関節用サポーター部）
１１０    中央領域
１１０Ａ、１１２Ａ、１１４Ａ    前面側領域
１１２    一端側領域
１１３    一端側口ゴム部
１１４    他端側領域
１１５    他端側口ゴム部
【図１】
2018172825.tif 000007
【図２】
2018172825.tif 000008
【図３】
2018172825.tif 000009
【図４】
2018172825.tif 000010
【図５】
2018172825.tif 000011
【図６】
2018172825.tif 000012
【図７】
2018172825.tif 000013
【図８】
2018172825.tif 000014
【図９】
2018172825.tif 000015
【図１０】
2018172825.tif 000016
【図１１】
2018172825.tif 000017
【図１２】
2018172825.tif 000018